(57)【要約】【課題】ＬＥＤ光源の点灯時に導光レンズの出射部の出射面の基端部の隅部が明るく光って見えるようにする。【解決手段】プリズムカット3b1aを用いることにより、概略点状に光って見えるＬＥＤ光源1の点灯時に導光レンズ3の出射面3b2が面状に光って見える面発光ＬＥＤ照明装置100において、入射部3aと出射部3bとの間の反射部3cの位置で導光レンズ3を屈曲させ、導光レンズ3の出射部3bの両面に出射面3b2と反射面3b1を形成し、出射部3bの中心面S2上またはその近傍にＬＥＤ光源1の発光中心1aを配置し、中心面S2と角度をなして発光中心1aから照射された光が、導光レンズ3の入射部3aを透過し、反射部3cの反射面3c1によって反射され、反射面3b1の基端部3b-2の隅部3b1Cのプリズムカット3b1aによって反射され、出射面3b2の基端部3b-2の隅部3b2Cを透過して照射方向に照射される。【選択図】図１
2012199092.tif 000002
【特許請求の範囲】
【請求項１】
概略点状に光って見えるＬＥＤ光源（１）と、ＬＥＤ光源（１）からの光を導光する導光レンズ（３）とを具備し、
プリズムカット（３ｂ１ａ）を用いることによって、ＬＥＤ光源（１）の点灯時に導光レンズ（３）の出射面（３ｂ２）が面状に光って見えるように構成された面発光ＬＥＤ照明装置（１００）において、
ＬＥＤ光源（１）からの光が入射する入射部（３ａ）と、導光レンズ（３）によって導光された光が出射する出射部（３ｂ）とを導光レンズ（３）に形成し、
入射部（３ａ）からの光を出射部（３ｂ）の側に反射する反射部（３ｃ）を入射部（３ａ）と出射部（３ｂ）との間に配置し、
導光レンズ（３）を反射部（３ｃ）の位置で屈曲させ、
導光レンズ（３）の出射部（３ｂ）の表面のうち、ＬＥＤ光源（１）の反対側の表面に出射面（３ｂ２）を形成し、
導光レンズ（３）の出射部（３ｂ）の表面のうち、ＬＥＤ光源（１）の側の表面に反射面（３ｂ１）を形成し、
導光レンズ（３）の出射部（３ｂ）の反射面（３ｂ１）にプリズムカット（３ｂ１ａ）を形成し、
第１仮想平面（Ｓ１）と、第１仮想平面（Ｓ１）に垂直な導光レンズ（３）の出射部（３ｂ）の中心面（Ｓ２）との交線（ＳＬ）上またはその近傍にＬＥＤ光源（１）の発光中心（１ａ）を配置し、
中心面（Ｓ２）と角度をなしてＬＥＤ光源（１）の発光中心（１ａ）から照射されて第１仮想平面（Ｓ１）内を進む光が、導光レンズ（３）の入射部（３ａ）を透過し、次いで、反射部（３ｃ）の反射面（３ｃ１）によって反射され、次いで、出射部（３ｂ）の反射面（３ｂ１）の隅部（３ｂ１Ｃ）のプリズムカット（３ｂ１ａ）によって反射され、次いで、出射部（３ｂ）の出射面（３ｂ２）の隅部（３ｂ２Ｃ）を透過して面発光ＬＥＤ照明装置（１００）の照射方向に照射されることを特徴とする面発光ＬＥＤ照明装置（１００）。
【請求項２】
ＬＥＤ光源（１）の発光中心（１ａ）から照射されて交線（ＳＬ）上を進む光、および、交線（ＳＬ）と角度をなしてＬＥＤ光源（１）の発光中心（１ａ）から照射された光の一部が入射する第１入射面（３ａ１）を導光レンズ（３）の入射部（３ａ）に形成し、
第１仮想平面（Ｓ１）内における導光レンズ（３）の入射部（３ａ）の第１入射面（３ａ１）の断面形状を、ＬＥＤ光源（１）の反対側に突出した概略円弧状の曲線（ａｂ）に設定し、
中心面（Ｓ２）内における導光レンズ（３）の入射部（３ａ）の第１入射面（３ａ１）の断面形状を、ＬＥＤ光源（１）の側に突出した概略円弧状の曲線（ｃｄ）に設定し、
曲線（ｃｄ）を曲線（ａｂ）に沿ってスイープすることにより得られる曲面によって、導光レンズ（３）の入射部（３ａ）の第１入射面（３ａ１）を構成し、
ＬＥＤ光源（１）の発光中心（１ａ）から照射され、次いで、導光レンズ（３）の入射部（３ａ）の第１入射面（３ａ１）を透過した光が、第１仮想平面（Ｓ１）に概略平行になるように、導光レンズ（３）の入射部（３ａ）の第１入射面（３ａ１）を形成し、
中心面（Ｓ２）内における導光レンズ（３）の反射部（３ｃ）の反射面（３ｃ１）の断面形状を、ＬＥＤ光源（１）の反対側に突出した概略円弧状の曲線（ｇｈ）に設定し、
直線（ｇｈ）を曲線（ａｂ）に沿ってスイープすることにより得られる曲面によって、導光レンズ（３）の反射部（３ｃ）の反射面（３ｃ１）を構成し、
中心面（Ｓ２）と角度をなしてＬＥＤ光源（１）の発光中心（１ａ）から照射され、次いで、導光レンズ（３）の入射部（３ａ）の第１入射面（３ａ１）を透過し、次いで、第１仮想平面（Ｓ１）と平行な第２仮想平面（Ｓ３）内を進む光が、導光レンズ（３）の反射部（３ｃ）の反射面（３ｃ１）によって反射され、次いで、出射部（３ｂ）の反射面（３ｂ１）の隅部（３ｂ１Ｃ）のプリズムカット（３ｂ１ａ）によって反射され、次いで、出射部（３ｂ）の出射面（３ｂ２）の隅部（３ｂ２Ｃ）を透過して面発光ＬＥＤ照明装置（１００）の照射方向に照射されることを特徴とする請求項１に記載の面発光ＬＥＤ照明装置（１００）。
【請求項３】
交線（ＳＬ）と角度をなしてＬＥＤ光源（１）の発光中心（１ａ）から照射された光の他の一部が入射する第２入射面（３ａ２）を導光レンズ（３）の入射部（３ａ）に形成し、
中心面（Ｓ２）内における導光レンズ（３）の入射部（３ａ）の第２入射面（３ａ２）の断面形状を、直線（ｄｅ）または曲線に設定し、
直線（ｄｅ）または曲線を曲線（ａｂ）に沿ってスイープすることにより得られる曲面によって、導光レンズ（３）の入射部（３ａ）の第２入射面（３ａ２）を構成し、
導光レンズ（３）の入射部（３ａ）の第２入射面（３ａ２）を透過した光を反射する反射面（３ａ３）を導光レンズ（３）の入射部（３ａ）に形成し、
中心面（Ｓ２）内における導光レンズ（３）の入射部（３ａ）の反射面（３ａ３）の断面形状を、曲線（ｅｆ）または直線に設定し、
曲線（ｅｆ）または直線を曲線（ａｂ）に沿ってスイープすることにより得られる曲面によって、導光レンズ（３）の入射部（３ａ）の反射面（３ａ３）を構成し、
中心面（Ｓ２）と角度をなしてＬＥＤ光源（１）の発光中心（１ａ）から照射され、次いで、導光レンズ（３）の入射部（３ａ）の第２入射面（３ａ２）を透過し、次いで、入射部（３ａ）の反射面（３ａ３）によって反射された光が、導光レンズ（３）の反射部（３ｃ）の反射面（３ｃ１）によって反射され、次いで、出射部（３ｂ）の反射面（３ｂ１）の隅部（３ｂ１Ｃ）のプリズムカット（３ｂ１ａ）によって反射され、次いで、出射部（３ｂ）の出射面（３ｂ２）の隅部（３ｂ２Ｃ）を透過して面発光ＬＥＤ照明装置（１００）の照射方向に照射されることを特徴とする請求項１又は２に記載の面発光ＬＥＤ照明装置（１００）。
【請求項４】
導光レンズ（３）の入射部（３ａ）の反射面（３ａ３）のＬＥＤ光源側部分（３ａ３ａ）からの反射光が、導光レンズ（３）の反射部（３ｃ）の反射面（３ｃ１）の入射部側部分（３ｃ１ａ）によって反射され、次いで、出射部（３ｂ）の反射面（３ｂ１）の基端部（３ｂ−２）に入射するように、かつ、導光レンズ（３）の入射部（３ａ）の反射面（３ａ３）の反射部側部分（３ａ３ｂ）からの反射光が、導光レンズ（３）の反射部（３ｃ）の反射面（３ｃ１）の出射部側部分（３ｃ１ｂ）によって反射され、次いで、出射部（３ｂ）の出射面（３ｂ２）によって反射され、次いで、出射部（３ｂ）の反射面（３ｂ１）に入射するように、導光レンズ（３）の入射部（３ａ）の反射面（３ａ３）および反射部（３ｃ）の反射面（３ｃ１）を形成したことを特徴とする請求項１〜３のいずれか一項に記載の面発光ＬＥＤ照明装置（１００）。
【請求項５】
中心面（Ｓ２）内における導光レンズ（３）の出射部（３ｂ）の反射面（３ｂ１）の断面形状を、ＬＥＤ光源（１）の反対側に突出した概略円弧状の曲線（ｐｑ）に設定し、
中心面（Ｓ２）内における導光レンズ（３）の出射部（３ｂ）の出射面（３ｂ２）の断面形状を、ＬＥＤ光源（１）の反対側に突出した概略円弧状の曲線（ｇｒ）に設定したことを特徴とする請求項１〜４のいずれか一項に記載の面発光ＬＥＤ照明装置（１００）。
【請求項６】
第１仮想平面（Ｓ１）に平行な第３仮想平面（Ｓ４）内における導光レンズ（３）の出射部（３ｂ）の反射面（３ｂ１）の断面形状を、ＬＥＤ光源（１）の反対側に突出した概略円弧状の曲線（ｔｕ）に設定し、
第３仮想平面（Ｓ４）内における導光レンズ（３）の出射部（３ｂ）の出射面（３ｂ２）の断面形状を、ＬＥＤ光源（１）の反対側に突出した概略円弧状の曲線（ｖｗ）に設定したことを特徴とする請求項１〜５のいずれか一項に記載の面発光ＬＥＤ照明装置（１００）。
【発明の詳細な説明】
【技術分野】
【０００１】
本発明は、プリズムカットを用いることにより、概略点状に光って見えるＬＥＤ光源の点灯時に、導光レンズの出射面が面状に光って見えるように構成された面発光ＬＥＤ照明装置に関する。
【０００２】
特に、本発明は、ＬＥＤ光源の点灯時に導光レンズの出射面の隅部が明るく光って見えるようにすることができる面発光ＬＥＤ照明装置に関する。
【背景技術】
【０００３】
従来から、プリズムカットを用いることにより、ＬＥＤ光源の点灯時に、導光レンズの出射面が面状に光って見えるように構成された面発光ＬＥＤ照明装置が知られている。この種の面発光ＬＥＤ照明装置の例としては、例えば特許文献１（特開２００８−６６１５２号公報）の図７〜図９に記載されたものがある。
【０００４】
特許文献１の図７〜図９に記載された面発光ＬＥＤ照明装置では、導光レンズが、導光板と、拡散シートと、プリズムカットを有するレンズシートとによって構成されている。また、特許文献１の図７〜図９に記載された面発光ＬＥＤ照明装置では、ＬＥＤ光源からの光が、導光板の端面を透過して導光板内に入射し、導光板内で内面反射を繰り返し、導光板の上面から出射し、導光板の上面が面発光する。更に、特許文献１の図７〜図９に記載された面発光ＬＥＤ照明装置では、導光板の上面から出射した光が、拡散シートおよびプリズムカットを有するレンズシートを介して、レンズシートの上側に配置されたＬＣＤの照明に利用される。
【先行技術文献】
【特許文献】
【０００５】
【特許文献１】特開２００８−６６１５２号公報
【発明の概要】
【発明が解決しようとする課題】
【０００６】
ところで、特許文献１の図７〜図９に記載された面発光ＬＥＤ照明装置では、特許文献１の図９に記載されているように、ＬＥＤ光源の点灯時に導光レンズ（導光板）の出射面の隅部が暗く見えてしまう。
【０００７】
前記問題点に鑑み、本発明は、ＬＥＤ光源の点灯時に導光レンズの出射面の隅部が明るく光って見えるようにすることができる面発光ＬＥＤ照明装置を提供することを目的とする。
【課題を解決するための手段】
【０００８】
請求項１に記載の発明によれば、概略点状に光って見えるＬＥＤ光源（１）と、ＬＥＤ光源（１）からの光を導光する導光レンズ（３）とを具備し、
プリズムカット（３ｂ１ａ）を用いることによって、ＬＥＤ光源（１）の点灯時に導光レンズ（３）の出射面（３ｂ２）が面状に光って見えるように構成された面発光ＬＥＤ照明装置（１００）において、
ＬＥＤ光源（１）からの光が入射する入射部（３ａ）と、導光レンズ（３）によって導光された光が出射する出射部（３ｂ）とを導光レンズ（３）に形成し、
入射部（３ａ）からの光を出射部（３ｂ）の側に反射する反射部（３ｃ）を入射部（３ａ）と出射部（３ｂ）との間に配置し、
導光レンズ（３）を反射部（３ｃ）の位置で屈曲させ、
導光レンズ（３）の出射部（３ｂ）の表面のうち、ＬＥＤ光源（１）の反対側の表面に出射面（３ｂ２）を形成し、
導光レンズ（３）の出射部（３ｂ）の表面のうち、ＬＥＤ光源（１）の側の表面に反射面（３ｂ１）を形成し、
導光レンズ（３）の出射部（３ｂ）の反射面（３ｂ１）にプリズムカット（３ｂ１ａ）を形成し、
第１仮想平面（Ｓ１）と、第１仮想平面（Ｓ１）に垂直な導光レンズ（３）の出射部（３ｂ）の中心面（Ｓ２）との交線（ＳＬ）上またはその近傍にＬＥＤ光源（１）の発光中心（１ａ）を配置し、
中心面（Ｓ２）と角度をなしてＬＥＤ光源（１）の発光中心（１ａ）から照射されて第１仮想平面（Ｓ１）内を進む光が、導光レンズ（３）の入射部（３ａ）を透過し、次いで、反射部（３ｃ）の反射面（３ｃ１）によって反射され、次いで、出射部（３ｂ）の反射面（３ｂ１）の隅部（３ｂ１Ｃ）のプリズムカット（３ｂ１ａ）によって反射され、次いで、出射部（３ｂ）の出射面（３ｂ２）の隅部（３ｂ２Ｃ）を透過して面発光ＬＥＤ照明装置（１００）の照射方向に照射されることを特徴とする面発光ＬＥＤ照明装置（１００）が提供される。
【０００９】
請求項２に記載の発明によれば、ＬＥＤ光源（１）の発光中心（１ａ）から照射されて交線（ＳＬ）上を進む光、および、交線（ＳＬ）と角度をなしてＬＥＤ光源（１）の発光中心（１ａ）から照射された光の一部が入射する第１入射面（３ａ１）を導光レンズ（３）の入射部（３ａ）に形成し、
第１仮想平面（Ｓ１）内における導光レンズ（３）の入射部（３ａ）の第１入射面（３ａ１）の断面形状を、ＬＥＤ光源（１）の反対側に突出した概略円弧状の曲線（ａｂ）に設定し、
中心面（Ｓ２）内における導光レンズ（３）の入射部（３ａ）の第１入射面（３ａ１）の断面形状を、ＬＥＤ光源（１）の側に突出した概略円弧状の曲線（ｃｄ）に設定し、
曲線（ｃｄ）を曲線（ａｂ）に沿ってスイープすることにより得られる曲面によって、導光レンズ（３）の入射部（３ａ）の第１入射面（３ａ１）を構成し、
ＬＥＤ光源（１）の発光中心（１ａ）から照射され、次いで、導光レンズ（３）の入射部（３ａ）の第１入射面（３ａ１）を透過した光が、第１仮想平面（Ｓ１）に概略平行になるように、導光レンズ（３）の入射部（３ａ）の第１入射面（３ａ１）を形成し、
中心面（Ｓ２）内における導光レンズ（３）の反射部（３ｃ）の反射面（３ｃ１）の断面形状を、ＬＥＤ光源（１）の反対側に突出した概略円弧状の曲線（ｇｈ）に設定し、
直線（ｇｈ）を曲線（ａｂ）に沿ってスイープすることにより得られる曲面によって、導光レンズ（３）の反射部（３ｃ）の反射面（３ｃ１）を構成し、
中心面（Ｓ２）と角度をなしてＬＥＤ光源（１）の発光中心（１ａ）から照射され、次いで、導光レンズ（３）の入射部（３ａ）の第１入射面（３ａ１）を透過し、次いで、第１仮想平面（Ｓ１）と平行な第２仮想平面（Ｓ３）内を進む光が、導光レンズ（３）の反射部（３ｃ）の反射面（３ｃ１）によって反射され、次いで、出射部（３ｂ）の反射面（３ｂ１）の隅部（３ｂ１Ｃ）のプリズムカット（３ｂ１ａ）によって反射され、次いで、出射部（３ｂ）の出射面（３ｂ２）の隅部（３ｂ２Ｃ）を透過して面発光ＬＥＤ照明装置（１００）の照射方向に照射されることを特徴とする請求項１に記載の面発光ＬＥＤ照明装置（１００）が提供される。
【００１０】
請求項３に記載の発明によれば、交線（ＳＬ）と角度をなしてＬＥＤ光源（１）の発光中心（１ａ）から照射された光の他の一部が入射する第２入射面（３ａ２）を導光レンズ（３）の入射部（３ａ）に形成し、
中心面（Ｓ２）内における導光レンズ（３）の入射部（３ａ）の第２入射面（３ａ２）の断面形状を、直線（ｄｅ）または曲線に設定し、
直線（ｄｅ）または曲線を曲線（ａｂ）に沿ってスイープすることにより得られる曲面によって、導光レンズ（３）の入射部（３ａ）の第２入射面（３ａ２）を構成し、
導光レンズ（３）の入射部（３ａ）の第２入射面（３ａ２）を透過した光を反射する反射面（３ａ３）を導光レンズ（３）の入射部（３ａ）に形成し、
中心面（Ｓ２）内における導光レンズ（３）の入射部（３ａ）の反射面（３ａ３）の断面形状を、曲線（ｅｆ）または直線に設定し、
曲線（ｅｆ）または直線を曲線（ａｂ）に沿ってスイープすることにより得られる曲面によって、導光レンズ（３）の入射部（３ａ）の反射面（３ａ３）を構成し、
中心面（Ｓ２）と角度をなしてＬＥＤ光源（１）の発光中心（１ａ）から照射され、次いで、導光レンズ（３）の入射部（３ａ）の第２入射面（３ａ２）を透過し、次いで、入射部（３ａ）の反射面（３ａ３）によって反射された光が、導光レンズ（３）の反射部（３ｃ）の反射面（３ｃ１）によって反射され、次いで、出射部（３ｂ）の反射面（３ｂ１）の隅部（３ｂ１Ｃ）のプリズムカット（３ｂ１ａ）によって反射され、次いで、出射部（３ｂ）の出射面（３ｂ２）の隅部（３ｂ２Ｃ）を透過して面発光ＬＥＤ照明装置（１００）の照射方向に照射されることを特徴とする請求項１又は２に記載の面発光ＬＥＤ照明装置（１００）が提供される。
【００１１】
請求項４に記載の発明によれば、導光レンズ（３）の入射部（３ａ）の反射面（３ａ３）のＬＥＤ光源側部分（３ａ３ａ）からの反射光が、導光レンズ（３）の反射部（３ｃ）の反射面（３ｃ１）の入射部側部分（３ｃ１ａ）によって反射され、次いで、出射部（３ｂ）の反射面（３ｂ１）の基端部（３ｂ−２）に入射するように、かつ、導光レンズ（３）の入射部（３ａ）の反射面（３ａ３）の反射部側部分（３ａ３ｂ）からの反射光が、導光レンズ（３）の反射部（３ｃ）の反射面（３ｃ１）の出射部側部分（３ｃ１ｂ）によって反射され、次いで、出射部（３ｂ）の出射面（３ｂ２）によって反射され、次いで、出射部（３ｂ）の反射面（３ｂ１）に入射するように、導光レンズ（３）の入射部（３ａ）の反射面（３ａ３）および反射部（３ｃ）の反射面（３ｃ１）を形成したことを特徴とする請求項１〜３のいずれか一項に記載の面発光ＬＥＤ照明装置（１００）が提供される。
【００１２】
請求項５に記載の発明によれば、中心面（Ｓ２）内における導光レンズ（３）の出射部（３ｂ）の反射面（３ｂ１）の断面形状を、ＬＥＤ光源（１）の反対側に突出した概略円弧状の曲線（ｐｑ）に設定し、
中心面（Ｓ２）内における導光レンズ（３）の出射部（３ｂ）の出射面（３ｂ２）の断面形状を、ＬＥＤ光源（１）の反対側に突出した概略円弧状の曲線（ｇｒ）に設定したことを特徴とする請求項１〜４のいずれか一項に記載の面発光ＬＥＤ照明装置（１００）が提供される。
【００１３】
請求項６に記載の発明によれば、第１仮想平面（Ｓ１）に平行な第３仮想平面（Ｓ４）内における導光レンズ（３）の出射部（３ｂ）の反射面（３ｂ１）の断面形状を、ＬＥＤ光源（１）の反対側に突出した概略円弧状の曲線（ｔｕ）に設定し、
第３仮想平面（Ｓ４）内における導光レンズ（３）の出射部（３ｂ）の出射面（３ｂ２）の断面形状を、ＬＥＤ光源（１）の反対側に突出した概略円弧状の曲線（ｖｗ）に設定したことを特徴とする請求項１〜５のいずれか一項に記載の面発光ＬＥＤ照明装置（１００）が提供される。
【発明の効果】
【００１４】
請求項１に記載の面発光ＬＥＤ照明装置（１００）では、概略点状に光って見えるＬＥＤ光源（１）と、ＬＥＤ光源（１）からの光を導光する導光レンズ（３）とが設けられている。また、プリズムカット（３ｂ１ａ）を用いることによって、ＬＥＤ光源（１）の点灯時に導光レンズ（３）の出射面（３ｂ２）が面状に光って見えるように構成されている。
【００１５】
詳細には、請求項１に記載の面発光ＬＥＤ照明装置（１００）では、ＬＥＤ光源（１）からの光が入射する入射部（３ａ）と、導光レンズ（３）によって導光された光が出射する出射部（３ｂ）とが、導光レンズ（３）に形成されている。更に、入射部（３ａ）からの光を出射部（３ｂ）の側に反射する反射部（３ｃ）が、入射部（３ａ）と出射部（３ｂ）との間に配置されている。また、導光レンズ（３）が反射部（３ｃ）の位置で屈曲せしめられている。
【００１６】
更に、請求項１に記載の面発光ＬＥＤ照明装置（１００）では、導光レンズ（３）の出射部（３ｂ）の表面のうち、ＬＥＤ光源（１）の反対側の表面に出射面（３ｂ２）が形成されている。また、導光レンズ（３）の出射部（３ｂ）の表面のうち、ＬＥＤ光源（１）の側の表面に反射面（３ｂ１）が形成されている。更に、導光レンズ（３）の出射部（３ｂ）の反射面（３ｂ１）にプリズムカット（３ｂ１ａ）が形成されている。また、第１仮想平面（Ｓ１）と、第１仮想平面（Ｓ１）に垂直な導光レンズ（３）の出射部（３ｂ）の中心面（Ｓ２）との交線（ＳＬ）上またはその近傍にＬＥＤ光源（１）の発光中心（１ａ）が配置されている。
【００１７】
詳細には、請求項１に記載の面発光ＬＥＤ照明装置（１００）では、中心面（Ｓ２）と角度をなしてＬＥＤ光源（１）の発光中心（１ａ）から照射されて第１仮想平面（Ｓ１）内を進む光が、導光レンズ（３）の入射部（３ａ）を透過し、次いで、反射部（３ｃ）の反射面（３ｃ１）によって反射され、次いで、出射部（３ｂ）の反射面（３ｂ１）の隅部（３ｂ１Ｃ）のプリズムカット（３ｂ１ａ）によって反射され、次いで、出射部（３ｂ）の出射面（３ｂ２）の隅部（３ｂ２Ｃ）を透過して面発光ＬＥＤ照明装置（１００）の照射方向に照射される。
【００１８】
そのため、請求項１に記載の面発光ＬＥＤ照明装置（１００）によれば、ＬＥＤ光源（１）の点灯時に導光レンズ（３）の出射部（３ｂ）の出射面（３ｂ２）の隅部（３ｂ２Ｃ）が明るく光って見えるようにすることができる。
【００１９】
請求項２に記載の面発光ＬＥＤ照明装置（１００）では、ＬＥＤ光源（１）の発光中心（１ａ）から照射されて交線（ＳＬ）上を進む光、および、交線（ＳＬ）と角度をなしてＬＥＤ光源（１）の発光中心（１ａ）から照射された光の一部が入射する第１入射面（３ａ１）が、導光レンズ（３）の入射部（３ａ）に形成されている。また、第１仮想平面（Ｓ１）内における導光レンズ（３）の入射部（３ａ）の第１入射面（３ａ１）の断面形状が、ＬＥＤ光源（１）の反対側に突出した概略円弧状の曲線（ａｂ）に設定されている。更に、中心面（Ｓ２）内における導光レンズ（３）の入射部（３ａ）の第１入射面（３ａ１）の断面形状が、ＬＥＤ光源（１）の側に突出した概略円弧状の曲線（ｃｄ）に設定されている。
【００２０】
また、請求項２に記載の面発光ＬＥＤ照明装置（１００）では、曲線（ｃｄ）を曲線（ａｂ）に沿ってスイープすることにより得られる曲面によって、導光レンズ（３）の入射部（３ａ）の第１入射面（３ａ１）が構成されている。更に、ＬＥＤ光源（１）の発光中心（１ａ）から照射され、次いで、導光レンズ（３）の入射部（３ａ）の第１入射面（３ａ１）を透過した光が、第１仮想平面（Ｓ１）に概略平行になるように、導光レンズ（３）の入射部（３ａ）の第１入射面（３ａ１）が形成されている。
【００２１】
更に、請求項２に記載の面発光ＬＥＤ照明装置（１００）では、中心面（Ｓ２）内における導光レンズ（３）の反射部（３ｃ）の反射面（３ｃ１）の断面形状が、ＬＥＤ光源（１）の反対側に突出した概略円弧状の曲線（ｇｈ）に設定されている。また、直線（ｇｈ）を曲線（ａｂ）に沿ってスイープすることにより得られる曲面によって、導光レンズ（３）の反射部（３ｃ）の反射面（３ｃ１）が構成されている。
【００２２】
詳細には、請求項２に記載の面発光ＬＥＤ照明装置（１００）では、中心面（Ｓ２）と角度をなしてＬＥＤ光源（１）の発光中心（１ａ）から照射され、次いで、導光レンズ（３）の入射部（３ａ）の第１入射面（３ａ１）を透過し、次いで、第１仮想平面（Ｓ１）と平行な第２仮想平面（Ｓ３）内を進む光が、導光レンズ（３）の反射部（３ｃ）の反射面（３ｃ１）によって反射され、次いで、出射部（３ｂ）の反射面（３ｂ１）の隅部（３ｂ１Ｃ）のプリズムカット（３ｂ１ａ）によって反射され、次いで、出射部（３ｂ）の出射面（３ｂ２）の隅部（３ｂ２Ｃ）を透過して面発光ＬＥＤ照明装置（１００）の照射方向に照射される。
【００２３】
そのため、請求項２に記載の面発光ＬＥＤ照明装置（１００）によれば、中心面（Ｓ２）と角度をなしてＬＥＤ光源（１）の発光中心（１ａ）から照射されて第２仮想平面（Ｓ３）内を進む光が導光レンズ（３）の出射部（３ｂ）の出射面（３ｂ２）の隅部（３ｂ２Ｃ）を透過しない場合よりも、ＬＥＤ光源（１）の点灯時に導光レンズ（３）の出射部（３ｂ）の出射面（３ｂ２）の隅部（３ｂ２Ｃ）が明るく光って見えるようにすることができる。
【００２４】
請求項３に記載の面発光ＬＥＤ照明装置（１００）では、交線（ＳＬ）と角度をなしてＬＥＤ光源（１）の発光中心（１ａ）から照射された光の他の一部が入射する第２入射面（３ａ２）が、導光レンズ（３）の入射部（３ａ）に形成されている。また、中心面（Ｓ２）内における導光レンズ（３）の入射部（３ａ）の第２入射面（３ａ２）の断面形状が、直線（ｄｅ）または曲線に設定されている。更に、直線（ｄｅ）または曲線を曲線（ａｂ）に沿ってスイープすることにより得られる曲面によって、導光レンズ（３）の入射部（３ａ）の第２入射面（３ａ２）が構成されている。
【００２５】
また、請求項３に記載の面発光ＬＥＤ照明装置（１００）では、導光レンズ（３）の入射部（３ａ）の第２入射面（３ａ２）を透過した光を反射する反射面（３ａ３）が、導光レンズ（３）の入射部（３ａ）に形成されている。更に、中心面（Ｓ２）内における導光レンズ（３）の入射部（３ａ）の反射面（３ａ３）の断面形状が、曲線（ｅｆ）または直線に設定されている。また、曲線（ｅｆ）または直線を曲線（ａｂ）に沿ってスイープすることにより得られる曲面によって、導光レンズ（３）の入射部（３ａ）の反射面（３ａ３）が構成されている。
【００２６】
詳細には、請求項３に記載の面発光ＬＥＤ照明装置（１００）では、中心面（Ｓ２）と角度をなしてＬＥＤ光源（１）の発光中心（１ａ）から照射され、次いで、導光レンズ（３）の入射部（３ａ）の第２入射面（３ａ２）を透過し、次いで、入射部（３ａ）の反射面（３ａ３）によって反射された光が、導光レンズ（３）の反射部（３ｃ）の反射面（３ｃ１）によって反射され、次いで、出射部（３ｂ）の反射面（３ｂ１）の隅部（３ｂ１Ｃ）のプリズムカット（３ｂ１ａ）によって反射され、次いで、出射部（３ｂ）の出射面（３ｂ２）の隅部（３ｂ２Ｃ）を透過して面発光ＬＥＤ照明装置（１００）の照射方向に照射される。
【００２７】
そのため、請求項３に記載の面発光ＬＥＤ照明装置（１００）によれば、中心面（Ｓ２）と角度をなしてＬＥＤ光源（１）の発光中心（１ａ）から照射されて導光レンズ（３）の入射部（３ａ）の第２入射面（３ａ２）を透過した光が出射部（３ｂ）の出射面（３ｂ２）の隅部（３ｂ２Ｃ）を透過しない場合よりも、ＬＥＤ光源（１）の点灯時に導光レンズ（３）の出射部（３ｂ）の出射面（３ｂ２）の隅部（３ｂ２Ｃ）が明るく光って見えるようにすることができる。
【００２８】
仮に、導光レンズ（３）の反射部（３ｃ）の反射面（３ｃ１）からの反射光のすべてが出射部（３ｂ）の反射面（３ｂ１）の基端部（３ｂ−２）に入射すると、導光レンズ（３）の出射部（３ｂ）の反射面（３ｂ１）の先端部（３ｂ−１）に到達するＬＥＤ光源（１）からの光が少なくなってしまい、その結果、導光レンズ（３）の出射部（３ｂ）の出射面（３ｂ２）の先端部（３ｂ−１）が暗く見えてしまうおそれがある。
【００２９】
この点に鑑み、請求項４に記載の面発光ＬＥＤ照明装置（１００）では、導光レンズ（３）の入射部（３ａ）の反射面（３ａ３）のＬＥＤ光源側部分（３ａ３ａ）からの反射光が、導光レンズ（３）の反射部（３ｃ）の反射面（３ｃ１）の入射部側部分（３ｃ１ａ）によって反射され、次いで、出射部（３ｂ）の反射面（３ｂ１）の基端部（３ｂ−２）に入射するように、かつ、導光レンズ（３）の入射部（３ａ）の反射面（３ａ３）の反射部側部分（３ａ３ｂ）からの反射光が、導光レンズ（３）の反射部（３ｃ）の反射面（３ｃ１）の出射部側部分（３ｃ１ｂ）によって反射され、次いで、出射部（３ｂ）の出射面（３ｂ２）によって反射され、次いで、出射部（３ｂ）の反射面（３ｂ１）に入射するように、導光レンズ（３）の入射部（３ａ）の反射面（３ａ３）および反射部（３ｃ）の反射面（３ｃ１）が形成されている。
【００３０】
そのため、請求項４に記載の面発光ＬＥＤ照明装置（１００）によれば、導光レンズ（３）の反射部（３ｃ）の反射面（３ｃ１）からの反射光のすべてが出射部（３ｂ）の反射面（３ｂ１）の基端部（３ｂ−２）に入射する場合よりも、導光レンズ（３）の出射部（３ｂ）の反射面（３ｂ１）の先端部（３ｂ−１）に到達するＬＥＤ光源（１）からの光を増加させることができる。その結果、導光レンズ（３）の反射部（３ｃ）の反射面（３ｃ１）からの反射光のすべてが出射部（３ｂ）の反射面（３ｂ１）の基端部（３ｂ−２）に入射する場合よりも、導光レンズ（３）の出射部（３ｂ）の出射面（３ｂ２）の先端部（３ｂ−１）が明るく光って見えるようにすることができる。
【００３１】
請求項５に記載の面発光ＬＥＤ照明装置（１００）では、中心面（Ｓ２）内における導光レンズ（３）の出射部（３ｂ）の反射面（３ｂ１）の断面形状が、ＬＥＤ光源（１）の反対側に突出した概略円弧状の曲線（ｐｑ）に設定されている。更に、中心面（Ｓ２）内における導光レンズ（３）の出射部（３ｂ）の出射面（３ｂ２）の断面形状が、ＬＥＤ光源（１）の反対側に突出した概略円弧状の曲線（ｇｒ）に設定されている。
【００３２】
そのため、請求項５に記載の面発光ＬＥＤ照明装置（１００）によれば、中心面（Ｓ２）内における導光レンズ（３）の出射部（３ｂ）の反射面（３ｂ１）および出射面（３ｂ２）の断面形状が直線に設定されている場合よりも、ＬＥＤ光源（１）の点灯時に導光レンズ（３）の出射部（３ｂ）の出射面（３ｂ２）の少なくとも一部を視認可能な視野角を大きくすることができる。
【００３３】
請求項６に記載の面発光ＬＥＤ照明装置（１００）では、第１仮想平面（Ｓ１）に平行な第３仮想平面（Ｓ４）内における導光レンズ（３）の出射部（３ｂ）の反射面（３ｂ１）の断面形状が、ＬＥＤ光源（１）の反対側に突出した概略円弧状の曲線（ｔｕ）に設定されている。更に、第３仮想平面（Ｓ４）内における導光レンズ（３）の出射部（３ｂ）の出射面（３ｂ２）の断面形状が、ＬＥＤ光源（１）の反対側に突出した概略円弧状の曲線（ｖｗ）に設定されている。
【００３４】
そのため、請求項６に記載の面発光ＬＥＤ照明装置（１００）によれば、第３仮想平面（Ｓ４）内における導光レンズ（３）の出射部（３ｂ）の反射面（３ｂ１）および出射面（３ｂ２）の断面形状が互いに平行な直線に設定されている場合よりも、ＬＥＤ光源（１）の点灯時に導光レンズ（３）の出射部（３ｂ）の出射面（３ｂ２）の少なくとも一部を視認可能な視野角を大きくすることができる。
【図面の簡単な説明】
【００３５】
【図１】第１の実施形態の面発光ＬＥＤ照明装置１００を示した図である。
【図２】第１の実施形態の面発光ＬＥＤ照明装置１００の一部を構成する導光レンズ３の部品図である。
【図３】第１の実施形態の面発光ＬＥＤ照明装置１００の一部を構成する導光レンズ３の部品図である。
【図４】第１の実施形態の面発光ＬＥＤ照明装置１００の一部を構成する導光レンズ３の部品図である。
【図５】導光レンズ３の中心面Ｓ２と角度をなしてＬＥＤ光源１の発光中心１ａから上側に照射され、次いで、導光レンズ３の入射部３ａの入射面３ａ１を透過して図３（Ｃ）に示す断面（仮想平面Ｓ１）内を進む光Ｌ１ａなどの光路を概略的に示した図である。
【図６】導光レンズ３の中心面Ｓ２と角度をなしてＬＥＤ光源１の発光中心１ａから下側に照射され、次いで、導光レンズ３の入射部３ａの入射面３ａ１を透過して図３（Ｃ）に示す断面（仮想平面Ｓ１）内を進む光Ｌ２ａなどの光路を概略的に示した図である。
【図７】導光レンズ３の中心面Ｓ２と角度をなしてＬＥＤ光源１の発光中心１ａから右上側に照射され、次いで、導光レンズ３の入射部３ａの入射面３ａ１を透過して図４（Ａ）のＦ−Ｆ線に沿った断面（仮想平面Ｓ３）内を進む光Ｌ３ａなどの光路を概略的に示した図である。
【図８】導光レンズ３の中心面Ｓ２と角度をなしてＬＥＤ光源１の発光中心１ａから右下側に照射され、次いで、導光レンズ３の入射部３ａの入射面３ａ１を透過して図４（Ａ）のＦ−Ｆ線に沿った断面（仮想平面Ｓ３）内を進む光Ｌ４ａなどの光路を概略的に示した図である。
【図９】導光レンズ３の中心面Ｓ２と角度をなしてＬＥＤ光源１の発光中心１ａから左上側に照射され、次いで、導光レンズ３の入射部３ａの入射面３ａ２を透過し、次いで、入射部３ａの反射面３ａ３のＬＥＤ光源側部分３ａ３ａによって反射された光Ｌ５ａなどの光路を概略的に示した図である。
【図１０】導光レンズ３の中心面Ｓ２と角度をなしてＬＥＤ光源１の発光中心１ａから左下側に照射され、次いで、導光レンズ３の入射部３ａの入射面３ａ２を透過し、次いで、入射部３ａの反射面３ａ３のＬＥＤ光源側部分３ａ３ａによって反射された光Ｌ６ａなどの光路を概略的に示した図である。
【図１１】仮想平面Ｓ１と角度をなしてＬＥＤ光源１の発光中心１ａから左側に照射され、次いで、導光レンズ３の入射部３ａの入射面３ａ２を透過し、次いで、入射部３ａの反射面３ａ３の反射部側部分３ａ３ｂによって反射された光Ｌ７ａなどの光路を概略的に示した図である。
【図１２】第１の実施形態の面発光ＬＥＤ照明装置１００の有利な効果を説明するための図である。
【図１３】第１の実施形態の面発光ＬＥＤ照明装置１００の他の有利な効果を説明するための図である。
【発明を実施するための形態】
【００３６】
以下、本発明の面発光ＬＥＤ照明装置の第１の実施形態について説明する。図１は第１の実施形態の面発光ＬＥＤ照明装置１００を示した図である。詳細には、図１は第１の実施形態の面発光ＬＥＤ照明装置１００の概略的な水平断面図である。図２〜図４は第１の実施形態の面発光ＬＥＤ照明装置１００の一部を構成する導光レンズ３の部品図である。詳細には、図２（Ａ）は導光レンズ３の平面図、図２（Ｂ）は導光レンズ３の正面図、図２（Ｃ）は導光レンズ３の底面図、図２（Ｄ）は図２（Ｂ）のＡ−Ａ線（導光レンズ３の中心面Ｓ２）に沿った概略的な水平断面図である。図３（Ａ）は導光レンズ３の左側面図、図３（Ｂ）は導光レンズ３の右側面図、図３（Ｃ）は図２（Ｄ）のＢ−Ｂ線に沿った概略的な断面図、図３（Ｄ）は図２（Ｄ）のＣ−Ｃ線に沿った概略的な断面図、図３（Ｅ）は左前側かつ下側から見た導光レンズ３の斜視図である。図４（Ａ）は図２（Ｄ）に示す導光レンズ３の水平断面の一部を拡大して示した図、図４（Ｂ）は図４（Ａ）に示す導光レンズ３の反射面３ｂ１の水平断面の一部を更に拡大して示した図である。
【００３７】
図５は導光レンズ３の中心面Ｓ２と角度をなしてＬＥＤ光源１（図１参照）の発光中心１ａから上側（図５（Ａ）の上側）に照射され、次いで、導光レンズ３の入射部３ａの入射面３ａ１を透過して図３（Ｃ）に示す断面（仮想平面Ｓ１）内を進む光Ｌ１ａなどの光路を概略的に示した図である。詳細には、図５（Ａ）は図３（Ｃ）に示す断面（仮想平面Ｓ１）内を進む光Ｌ１ａの光路を概略的に示した図である。図５（Ｂ）は光Ｌ１ａ（図５（Ａ）参照）が導光レンズ３の反射部３ｃの反射面３ｃ１によって反射され、次いで、出射部３ｂの反射面３ｂ１（図５（Ｄ）参照）の隅部３ｂ１Ｃ（図５（Ｄ）参照）のプリズムカット３ｂ１ａ（図４（Ｂ）参照）によって反射され、次いで、出射部３ｂの出射面３ｂ２の隅部３ｂ２Ｃを透過した後、面発光ＬＥＤ照明装置１００の照射方向（図５（Ｂ）の右側）に照射される透過光Ｌ１ｄの光路を、図３（Ａ）に示す導光レンズ３の左側面図に投影した概略図である。図５（Ｃ）は光Ｌ１ａ（図５（Ａ）参照）が導光レンズ３の反射部３ｃの反射面３ｃ１によって反射された後、出射部３ｂの反射面３ｂ１（図５（Ｄ）参照）の隅部３ｂ１Ｃ（図５（Ｄ）参照）のプリズムカット３ｂ１ａ（図４（Ｂ）参照）に入射する反射光Ｌ１ｂの光路を、図２（Ｂ）に示す導光レンズ３の正面図に投影した概略図である。図５（Ｄ）は図５（Ｃ）のＤ−Ｄ線に沿った概略的な拡大水平断面図である。詳細には、図５（Ｄ）は光Ｌ１ａが仮想平面Ｓ１内を進む様子、導光レンズ３の反射部３ｃの反射面３ｃ１からの反射光Ｌ１ｂが出射部３ｂの反射面３ｂ１の隅部３ｂ１Ｃに入射する様子、導光レンズ３の出射部３ｂの反射面３ｂ１の隅部３ｂ１Ｃのプリズムカット３ｂ１ａ（図４（Ｂ）参照）からの反射光Ｌ１ｃが出射部３ｂの出射面３ｂ２の隅部３ｂ２Ｃを透過する様子、および、導光レンズ３の出射部３ｂの出射面３ｂ２の隅部３ｂ２Ｃからの透過光Ｌ１ｄが面発光ＬＥＤ照明装置１００の照射方向（図５（Ｄ）の下側）に照射される様子を概念的に示した図である。
【００３８】
図６は導光レンズ３の中心面Ｓ２と角度をなしてＬＥＤ光源１（図１参照）の発光中心１ａから下側（図６（Ａ）の下側）に照射され、次いで、導光レンズ３の入射部３ａの入射面３ａ１を透過して図３（Ｃ）に示す断面（仮想平面Ｓ１）内を進む光Ｌ２ａなどの光路を概略的に示した図である。詳細には、図６（Ａ）は図３（Ｃ）に示す断面（仮想平面Ｓ１）内を進む光Ｌ２ａの光路を概略的に示した図である。図６（Ｂ）は光Ｌ２ａ（図６（Ａ）参照）が導光レンズ３の反射部３ｃの反射面３ｃ１によって反射され、次いで、出射部３ｂの反射面３ｂ１（図６（Ｄ）参照）の隅部３ｂ１Ｃ（図６（Ｄ）参照）のプリズムカット３ｂ１ａ（図４（Ｂ）参照）によって反射され、次いで、出射部３ｂの出射面３ｂ２の隅部３ｂ２Ｃを透過した後、面発光ＬＥＤ照明装置１００の照射方向（図６（Ｂ）の右側）に照射される透過光Ｌ２ｄの光路を、図３（Ａ）に示す導光レンズ３の左側面図に投影した概略図である。図６（Ｃ）は光Ｌ２ａ（図６（Ａ）参照）が導光レンズ３の反射部３ｃの反射面３ｃ１によって反射された後、出射部３ｂの反射面３ｂ１（図６（Ｄ）参照）の隅部３ｂ１Ｃ（図６（Ｄ）参照）のプリズムカット３ｂ１ａ（図４（Ｂ）参照）に入射する反射光Ｌ２ｂの光路を、図２（Ｂ）に示す導光レンズ３の正面図に投影した概略図である。図６（Ｄ）は図６（Ｃ）のＥ−Ｅ線に沿った概略的な拡大水平断面図である。詳細には、図６（Ｄ）は光Ｌ２ａが仮想平面Ｓ１内を進む様子、導光レンズ３の反射部３ｃの反射面３ｃ１からの反射光Ｌ２ｂが出射部３ｂの反射面３ｂ１の隅部３ｂ１Ｃに入射する様子、導光レンズ３の出射部３ｂの反射面３ｂ１の隅部３ｂ１Ｃのプリズムカット３ｂ１ａ（図４（Ｂ）参照）からの反射光Ｌ２ｃが出射部３ｂの出射面３ｂ２の隅部３ｂ２Ｃを透過する様子、および、導光レンズ３の出射部３ｂの出射面３ｂ２の隅部３ｂ２Ｃからの透過光Ｌ２ｄが面発光ＬＥＤ照明装置１００の照射方向（図６（Ｄ）の下側）に照射される様子を概念的に示した図である。
【００３９】
図７は導光レンズ３の中心面Ｓ２と角度をなしてＬＥＤ光源１（図１参照）の発光中心１ａから右上側（図７（Ａ）の上側、かつ、図７（Ｄ）の右側）に照射され、次いで、導光レンズ３の入射部３ａの入射面３ａ１を透過して図４（Ａ）のＦ−Ｆ線に沿った断面（仮想平面Ｓ３）内を進む光Ｌ３ａなどの光路を概略的に示した図である。詳細には、図７（Ａ）は図４（Ａ）のＦ−Ｆ線に沿った断面（仮想平面Ｓ３）内を進む光Ｌ３ａの光路を概略的に示した図である。図７（Ｂ）は光Ｌ３ａ（図７（Ａ）参照）が導光レンズ３の反射部３ｃの反射面３ｃ１によって反射され、次いで、出射部３ｂの反射面３ｂ１（図７（Ｄ）参照）の隅部３ｂ１Ｃ（図７（Ｄ）参照）のプリズムカット３ｂ１ａ（図４（Ｂ）参照）によって反射され、次いで、出射部３ｂの出射面３ｂ２の隅部３ｂ２Ｃを透過した後、面発光ＬＥＤ照明装置１００の照射方向（図７（Ｂ）の右側）に照射される透過光Ｌ３ｄの光路を、図３（Ａ）に示す導光レンズ３の左側面図に投影した概略図である。図７（Ｃ）は光Ｌ３ａ（図７（Ａ）参照）が導光レンズ３の反射部３ｃの反射面３ｃ１によって反射された後、出射部３ｂの反射面３ｂ１（図７（Ｄ）参照）の隅部３ｂ１Ｃ（図７（Ｄ）参照）のプリズムカット３ｂ１ａ（図４（Ｂ）参照）に入射する反射光Ｌ３ｂの光路を、図２（Ｂ）に示す導光レンズ３の正面図に投影した概略図である。図７（Ｄ）は図７（Ｃ）のＧ−Ｇ線に沿った概略的な拡大水平断面図である。詳細には、図７（Ｄ）は光Ｌ３ａが仮想平面Ｓ３内を進む様子、導光レンズ３の反射部３ｃの反射面３ｃ１からの反射光Ｌ３ｂが出射部３ｂの反射面３ｂ１の隅部３ｂ１Ｃに入射する様子、導光レンズ３の出射部３ｂの反射面３ｂ１の隅部３ｂ１Ｃのプリズムカット３ｂ１ａ（図４（Ｂ）参照）からの反射光Ｌ３ｃが出射部３ｂの出射面３ｂ２の隅部３ｂ２Ｃを透過する様子、および、導光レンズ３の出射部３ｂの出射面３ｂ２の隅部３ｂ２Ｃからの透過光Ｌ３ｄが面発光ＬＥＤ照明装置１００の照射方向（図７（Ｄ）の下側）に照射される様子を概念的に示した図である。
【００４０】
図８は導光レンズ３の中心面Ｓ２と角度をなしてＬＥＤ光源１（図１参照）の発光中心１ａから右下側（図８（Ａ）の下側、かつ、図８（Ｄ）の右側）に照射され、次いで、導光レンズ３の入射部３ａの入射面３ａ１を透過して図４（Ａ）のＦ−Ｆ線に沿った断面（仮想平面Ｓ３）内を進む光Ｌ４ａなどの光路を概略的に示した図である。詳細には、図８（Ａ）は図４（Ａ）のＦ−Ｆ線に沿った断面（仮想平面Ｓ３）内を進む光Ｌ４ａの光路を概略的に示した図である。図８（Ｂ）は光Ｌ４ａ（図８（Ａ）参照）が導光レンズ３の反射部３ｃの反射面３ｃ１によって反射され、次いで、出射部３ｂの反射面３ｂ１（図８（Ｄ）参照）の隅部３ｂ１Ｃ（図８（Ｄ）参照）のプリズムカット３ｂ１ａ（図４（Ｂ）参照）によって反射され、次いで、出射部３ｂの出射面３ｂ２の隅部３ｂ２Ｃを透過した後、面発光ＬＥＤ照明装置１００の照射方向（図８（Ｂ）の右側）に照射される透過光Ｌ４ｄの光路を、図３（Ａ）に示す導光レンズ３の左側面図に投影した概略図である。図８（Ｃ）は光Ｌ４ａ（図８（Ａ）参照）が導光レンズ３の反射部３ｃの反射面３ｃ１によって反射された後、出射部３ｂの反射面３ｂ１（図８（Ｄ）参照）の隅部３ｂ１Ｃ（図８（Ｄ）参照）のプリズムカット３ｂ１ａ（図４（Ｂ）参照）に入射する反射光Ｌ４ｂの光路を、図２（Ｂ）に示す導光レンズ３の正面図に投影した概略図である。図８（Ｄ）は図８（Ｃ）のＨ−Ｈ線に沿った概略的な拡大水平断面図である。詳細には、図８（Ｄ）は光Ｌ４ａが仮想平面Ｓ３内を進む様子、導光レンズ３の反射部３ｃの反射面３ｃ１からの反射光Ｌ４ｂが出射部３ｂの反射面３ｂ１の隅部３ｂ１Ｃに入射する様子、導光レンズ３の出射部３ｂの反射面３ｂ１の隅部３ｂ１Ｃのプリズムカット３ｂ１ａ（図４（Ｂ）参照）からの反射光Ｌ４ｃが出射部３ｂの出射面３ｂ２の隅部３ｂ２Ｃを透過する様子、および、導光レンズ３の出射部３ｂの出射面３ｂ２の隅部３ｂ２Ｃからの透過光Ｌ４ｄが面発光ＬＥＤ照明装置１００の照射方向（図８（Ｄ）の下側）に照射される様子を概念的に示した図である。
【００４１】
図９は導光レンズ３の中心面Ｓ２と角度をなしてＬＥＤ光源１（図１参照）の発光中心１ａから左上側（図９（Ａ）の上側、かつ、図９（Ｄ）の左側）に照射され、次いで、導光レンズ３の入射部３ａの入射面３ａ２を透過し、次いで、入射部３ａの反射面３ａ３のＬＥＤ光源側部分３ａ３ａ（図９（Ｄ）参照）によって反射された光Ｌ５ａなどの光路を概略的に示した図である。詳細には、図９（Ａ）は導光レンズ３の中心面Ｓ２と角度をなしてＬＥＤ光源１の発光中心１ａから左上側（図９（Ａ）の上側、かつ、図９（Ｄ）の左側）に照射され、次いで、導光レンズ３の入射部３ａの入射面３ａ２を透過し、次いで、入射部３ａの反射面３ａ３のＬＥＤ光源側部分３ａ３ａ（図９（Ｄ）参照）によって反射された光Ｌ５ａの光路を、図３（Ａ）に示す導光レンズ３の左側面図に投影した概略図である。図９（Ｂ）は光Ｌ５ａ（図９（Ａ）参照）が導光レンズ３の反射部３ｃの反射面３ｃ１の入射部側部分３ｃ１ａ（図９（Ｄ）参照）によって反射され、次いで、出射部３ｂの反射面３ｂ１（図９（Ｄ）参照）の隅部３ｂ１Ｃ（図９（Ｄ）参照）のプリズムカット３ｂ１ａ（図４（Ｂ）参照）によって反射され、次いで、出射部３ｂの出射面３ｂ２の隅部３ｂ２Ｃを透過した後、面発光ＬＥＤ照明装置１００の照射方向（図９（Ｂ）の右側）に照射される透過光Ｌ５ｄの光路を、図３（Ａ）に示す導光レンズ３の左側面図に投影した概略図である。図９（Ｃ）は光Ｌ５ａ（図９（Ａ）参照）が導光レンズ３の反射部３ｃの反射面３ｃ１の入射部側部分３ｃ１ａ（図９（Ｄ）参照）によって反射された後、出射部３ｂの反射面３ｂ１（図９（Ｄ）参照）の隅部３ｂ１Ｃ（図９（Ｄ）参照）のプリズムカット３ｂ１ａ（図４（Ｂ）参照）に入射する反射光Ｌ５ｂの光路を、図２（Ｂ）に示す導光レンズ３の正面図に投影した概略図である。図９（Ｄ）は図９（Ｃ）のＩ−Ｉ線に沿った概略的な拡大水平断面図である。詳細には、図９（Ｄ）は導光レンズ３の入射部３ａの反射面３ａ３のＬＥＤ光源側部分３ａ３ａからの反射光Ｌ５ａが反射部３ｃの反射面３ｃ１の入射部側部分３ｃ１ａに入射する様子、導光レンズ３の反射部３ｃの反射面３ｃ１の入射部側部分３ｃ１ａからの反射光Ｌ５ｂが出射部３ｂの反射面３ｂ１の隅部３ｂ１Ｃに入射する様子、導光レンズ３の出射部３ｂの反射面３ｂ１の隅部３ｂ１Ｃのプリズムカット３ｂ１ａ（図４（Ｂ）参照）からの反射光Ｌ５ｃが出射部３ｂの出射面３ｂ２の隅部３ｂ２Ｃを透過する様子、および、導光レンズ３の出射部３ｂの出射面３ｂ２の隅部３ｂ２Ｃからの透過光Ｌ５ｄが面発光ＬＥＤ照明装置１００の照射方向（図９（Ｄ）の下側）に照射される様子を概念的に示した図である。
【００４２】
図１０は導光レンズ３の中心面Ｓ２と角度をなしてＬＥＤ光源１（図１参照）の発光中心１ａから左下側（図１０（Ａ）の下側、かつ、図１０（Ｄ）の左側）に照射され、次いで、導光レンズ３の入射部３ａの入射面３ａ２を透過し、次いで、入射部３ａの反射面３ａ３のＬＥＤ光源側部分３ａ３ａ（図１０（Ｄ）参照）によって反射された光Ｌ６ａなどの光路を概略的に示した図である。詳細には、図１０（Ａ）は導光レンズ３の中心面Ｓ２と角度をなしてＬＥＤ光源１の発光中心１ａから左下側（図１０（Ａ）の下側、かつ、図１０（Ｄ）の左側）に照射され、次いで、導光レンズ３の入射部３ａの入射面３ａ２を透過し、次いで、入射部３ａの反射面３ａ３のＬＥＤ光源側部分３ａ３ａ（図１０（Ｄ）参照）によって反射された光Ｌ６ａの光路を、図３（Ａ）に示す導光レンズ３の左側面図に投影した概略図である。図１０（Ｂ）は光Ｌ６ａ（図１０（Ａ）参照）が導光レンズ３の反射部３ｃの反射面３ｃ１の入射部側部分３ｃ１ａ（図１０（Ｄ）参照）によって反射され、次いで、出射部３ｂの反射面３ｂ１（図１０（Ｄ）参照）の隅部３ｂ１Ｃ（図１０（Ｄ）参照）のプリズムカット３ｂ１ａ（図４（Ｂ）参照）によって反射され、次いで、出射部３ｂの出射面３ｂ２の隅部３ｂ２Ｃを透過した後、面発光ＬＥＤ照明装置１００の照射方向（図１０（Ｂ）の右側）に照射される透過光Ｌ６ｄの光路を、図３（Ａ）に示す導光レンズ３の左側面図に投影した概略図である。図１０（Ｃ）は光Ｌ６ａ（図１０（Ａ）参照）が導光レンズ３の反射部３ｃの反射面３ｃ１の入射部側部分３ｃ１ａ（図１０（Ｄ）参照）によって反射された後、出射部３ｂの反射面３ｂ１（図１０（Ｄ）参照）の隅部３ｂ１Ｃ（図１０（Ｄ）参照）のプリズムカット３ｂ１ａ（図４（Ｂ）参照）に入射する反射光Ｌ６ｂの光路を、図２（Ｂ）に示す導光レンズ３の正面図に投影した概略図である。図１０（Ｄ）は図１０（Ｃ）のＪ−Ｊ線に沿った概略的な拡大水平断面図である。詳細には、図１０（Ｄ）は導光レンズ３の入射部３ａの反射面３ａ３のＬＥＤ光源側部分３ａ３ａからの反射光Ｌ６ａが反射部３ｃの反射面３ｃ１の入射部側部分３ｃ１ａに入射する様子、導光レンズ３の反射部３ｃの反射面３ｃ１の入射部側部分３ｃ１ａからの反射光Ｌ６ｂが出射部３ｂの反射面３ｂ１の隅部３ｂ１Ｃに入射する様子、導光レンズ３の出射部３ｂの反射面３ｂ１の隅部３ｂ１Ｃのプリズムカット３ｂ１ａ（図４（Ｂ）参照）からの反射光Ｌ６ｃが出射部３ｂの出射面３ｂ２の隅部３ｂ２Ｃを透過する様子、および、導光レンズ３の出射部３ｂの出射面３ｂ２の隅部３ｂ２Ｃからの透過光Ｌ６ｄが面発光ＬＥＤ照明装置１００の照射方向（図１０（Ｄ）の下側）に照射される様子を概念的に示した図である。
【００４３】
図１１は仮想平面Ｓ１と角度をなしてＬＥＤ光源１（図１参照）の発光中心１ａから左側（図１１（Ａ）の左側）に照射され、次いで、導光レンズ３の入射部３ａの入射面３ａ２を透過し、次いで、入射部３ａの反射面３ａ３の反射部側部分３ａ３ｂ（図１１（Ａ）参照）によって反射された光Ｌ７ａなどの光路を概略的に示した図である。詳細には、図１１（Ａ）は仮想平面Ｓ１と角度をなしてＬＥＤ光源１の発光中心１ａから左側（図１１（Ａ）の左側）に照射され、次いで、導光レンズ３の入射部３ａの入射面３ａ２を透過し、次いで、入射部３ａの反射面３ａ３の反射部側部分３ａ３ｂによって反射されて図４（Ａ）に示す水平断面（中心面Ｓ２）内を進む光Ｌ７ａ、および、反射部３ｃの反射面３ｃ１の出射部側部分３ｃ１ｂによって反射されて図４（Ａ）に示す水平断面（中心面Ｓ２）内を進む光Ｌ７ｂの光路を示した水平断面図である。図１１（Ｂ）は光Ｌ７ａ（図１１（Ａ）参照）が導光レンズ３の反射部３ｃの反射面３ｃ１の出射部側部分３ｃ１ｂ（図１１（Ａ）参照）によって反射された後、出射部３ｂの出射面３ｂ２に入射する反射光Ｌ７ｂの光路、反射光Ｌ７ｂが出射部３ｂの出射面３ｂ２によって反射された後、出射部３ｂの出射面３ｂ２に再び入射する反射光Ｌ７ｃの光路、および、反射光Ｌ７ｃが出射部３ｂの出射面３ｂ２によって反射された後、出射部３ｂの入射面３ｂ１（図１１（Ｃ）参照）に入射する反射光Ｌ７ｄの光路を、図２（Ｂ）に示す導光レンズ３の正面図に投影した概略図である。図１１（Ｃ）は光Ｌ７ａ（図１１（Ａ）参照）が導光レンズ３の反射部３ｃの反射面３ｃ１の出射部側部分３ｃ１ｂ（図１１（Ａ）参照）によって反射された後、出射部３ｂの出射面３ｂ２に入射する反射光Ｌ７ｂの光路、反射光Ｌ７ｂが出射部３ｂの出射面３ｂ２によって反射された後、出射部３ｂの出射面３ｂ２に再び入射する反射光Ｌ７ｃの光路、および、反射光Ｌ７ｃが出射部３ｂの出射面３ｂ２によって反射された後、出射部３ｂの入射面３ｂ１に入射する反射光Ｌ７ｄの光路を示した導光レンズ３の概略的な水平断面図である。
【００４４】
図１２は第１の実施形態の面発光ＬＥＤ照明装置１００の有利な効果を説明するための図である。詳細には、図１２（Ａ）は図２（Ｄ）と同様の第１の実施形態の面発光ＬＥＤ照明装置１００の導光レンズ３の概略的な水平断面図である。図１２（Ｂ）は比較例の面発光ＬＥＤ照明装置１００ｒｅｆの概略的な水平断面図である。
【００４５】
図１３は第１の実施形態の面発光ＬＥＤ照明装置１００の他の有利な効果を説明するための図である。図１３（Ａ）は図３（Ｄ）と同様の第１の実施形態の面発光ＬＥＤ照明装置１００の導光レンズ３の出射部３ｂの概略的な断面図である。詳細には、図１３（Ａ）は第１の実施形態の面発光ＬＥＤ照明装置１００の導光レンズ３の出射部３ｂの反射面３ｂ１に入射する光Ｌ３、出射部３ｂの反射面３ｂ１からの反射光Ｌ３および出射部３ｂの出射面３ｂ２を透過した光Ｌ３を仮想平面Ｓ４（図２（Ｄ）参照）に投影した断面図である。図１３（Ｂ）は仮想平面Ｓ４（図２（Ｄ）参照）内における導光レンズ３の出射部３ｂの反射面３ｂ１の断面形状が中心面Ｓ２に垂直な直線ｔｕに設定され、出射部３ｂの出射面３ｂ２の断面形状が中心面Ｓ２に垂直な直線ｖｗに設定されている比較例の面発光ＬＥＤ照明装置１００ｒｅｆの導光レンズ３の出射部３ｂの概略的な断面図である。詳細には、図１３（Ｂ）は比較例の面発光ＬＥＤ照明装置１００ｒｅｆの導光レンズ３の出射部３ｂの反射面３ｂ１に入射する光Ｌ３’、出射部３ｂの反射面３ｂ１からの反射光Ｌ３’および出射部３ｂの出射面３ｂ２を透過した光Ｌ３’を仮想平面Ｓ４（図２（Ｄ）参照）に投影した断面図である。
【００４６】
第１の実施形態の面発光ＬＥＤ照明装置１００では、図１に示すように、概略点状に光って見えるＬＥＤ光源１と、ＬＥＤ光源１からの光を導光する導光レンズ３とが設けられている。詳細には、ＬＥＤ光源１が基板２に実装され、基板２と導光レンズ３とが例えばハウジング４を介して接続されている。また、面発光ＬＥＤ照明装置１００の照射方向（図１の下側）から導光レンズ３の出射部３ｂの出射面３ｂ２の全体または大部分を視認できるように、導光レンズ３およびハウジング４が構成されている。
【００４７】
また、第１の実施形態の面発光ＬＥＤ照明装置１００では、図２〜図４に示すように、ＬＥＤ光源１（図１参照）からの光が入射する入射部３ａと、導光レンズ３によって導光された光が出射する出射部３ｂとが、導光レンズ３に形成されている。更に、入射部３ａからの光を出射部３ｂの側に反射する反射部３ｃが、入射部３ａと出射部３ｂとの間に配置されている。また、導光レンズ３が反射部３ｃの位置で屈曲せしめられている。更に、導光レンズ３の出射部３ｂの表面のうち、ＬＥＤ光源１（図１参照）の反対側（図１および図２（Ｄ）の下側）の表面に出射面３ｂ２が形成されている。また、導光レンズ３の出射部３ｂの表面のうち、ＬＥＤ光源１の側（図１および図２（Ｄ）の上側）の表面に反射面３ｂ１が形成されている。更に、導光レンズ３の出射部３ｂの反射面３ｂ１の全体または大部分にプリズムカット３ｂ１ａ（図４（Ｂ）参照）が形成されている。また、プリズムカット３ｂ１ａの稜線（図示せず）が、図２（Ｂ）の上下方向に例えば直線状または円弧状に延ばされている。
【００４８】
詳細には、第１の実施形態の面発光ＬＥＤ照明装置１００では、図２（Ｄ）および図４（Ａ）に示すように、仮想平面Ｓ１と、仮想平面Ｓ１に垂直な仮想平面Ｓ２との交線ＳＬ上またはその近傍にＬＥＤ光源１（図１参照）の発光中心１ａが配置されている。また、ＬＥＤ光源１（図１参照）の発光中心１ａから照射されて交線ＳＬ上を進む光（図示せず）、および、交線ＳＬと角度をなしてＬＥＤ光源１の発光中心１ａから照射された光の一部（例えば光Ｌ１ａ（図５（Ａ）および図５（Ｄ）参照）、光Ｌ２ａ（図６（Ａ）および図６（Ｄ）参照）、光Ｌ３ａ（図７（Ａ）および図７（Ｄ）参照）、光Ｌ４ａ（図８（Ａ）および図８（Ｄ）参照）など）が入射する入射面３ａ１が、導光レンズ３の入射部３ａに形成されている。
【００４９】
更に、第１の実施形態の面発光ＬＥＤ照明装置１００では、図３（Ｃ）に示すように、仮想平面Ｓ１（図２（Ｄ）および図４（Ａ）参照）内における導光レンズ３の入射部３ａの入射面３ａ１の断面形状が、ＬＥＤ光源１（図１参照）の反対側（図３（Ｃ）の右側）に突出した概略円弧状の曲線ａｂに設定されている。また、図４（Ａ）に示すように、導光レンズ３の中心面Ｓ２（図２（Ｂ）、図３（Ａ）および図３（Ｃ）参照）内における導光レンズ３の入射部３ａの入射面３ａ１の断面形状が、ＬＥＤ光源１（図１参照）の側（図４（Ａ）の上側）に突出した概略円弧状の曲線ｃｄに設定されている。
【００５０】
また、第１の実施形態の面発光ＬＥＤ照明装置１００では、図３（Ｂ）、図３（Ｃ）および図４（Ａ）に示すように、曲線ｃｄ（図４（Ａ）参照）を曲線ａｂ（図３（Ｃ）参照）に沿ってスイープすることにより得られる曲面によって、導光レンズ３の入射部３ａの入射面３ａ１が構成されている。更に、図７（Ｄ）および図８（Ｄ）に示すように、ＬＥＤ光源１（図１参照）の発光中心１ａから照射され、次いで、導光レンズ３の入射部３ａの入射面３ａ１を透過した光Ｌ３ａ，Ｌ４ａが、仮想平面Ｓ１に概略平行になるように、導光レンズ３の入射部３ａの入射面３ａ１が形成されている。
【００５１】
更に、第１の実施形態の面発光ＬＥＤ照明装置１００では、図４（Ａ）に示すように、交線ＳＬと角度をなしてＬＥＤ光源１（図１参照）の発光中心１ａから照射された光の他の一部（例えば光Ｌ５ａ（図９（Ｄ）参照）、光Ｌ６ａ（図１０（Ｄ）参照）、光Ｌ７ａ（図１１（Ａ）参照）など）が入射する入射面３ａ２が、導光レンズ３の入射部３ａに形成されている。また、導光レンズ３の中心面Ｓ２（図２（Ｂ）、図３（Ａ）、図３（Ｂ）および図３（Ｃ）参照）内における導光レンズ３の入射部３ａの入射面３ａ２の断面形状が、直線ｄｅまたは曲線に設定されている。更に、直線ｄｅまたは曲線を曲線ａｂ（図３（Ｃ）参照）に沿ってスイープすることにより得られる曲面によって、導光レンズ３の入射部３ａの入射面３ａ２が構成されている。
【００５２】
また、第１の実施形態の面発光ＬＥＤ照明装置１００では、図４（Ａ）に示すように、導光レンズ３の入射部３ａの入射面３ａ２を透過した光（例えば光Ｌ５ａ（図９（Ｄ）参照）、光Ｌ６ａ（図１０（Ｄ）参照）、光Ｌ７ａ（図１１（Ａ）参照）など）を反射する反射面３ａ３が、導光レンズ３の入射部３ａに形成されている。更に、導光レンズ３の中心面Ｓ２（図２（Ｂ）、図３（Ａ）、図３（Ｂ）および図３（Ｃ）参照）内における導光レンズ３の入射部３ａの反射面３ａ３の断面形状が、曲線ｅｆまたは直線に設定されている。また、曲線ｅｆまたは直線を曲線ａｂ（図３（Ｃ）参照）に沿ってスイープすることにより得られる曲面によって、導光レンズ３の入射部３ａの反射面３ａ３が構成されている。
【００５３】
更に、第１の実施形態の面発光ＬＥＤ照明装置１００では、図４に示すように、導光レンズ３の入射部３ａの入射面３ａ１を透過した光（例えばＬ１ａ（図５（Ａ）および図５（Ｄ）参照）、Ｌ２ａ（図６（Ａ）および図６（Ｄ）参照）、Ｌ３ａ（図７（Ａ）および図７（Ｄ）参照）、Ｌ４ａ（図８（Ａ）および図８（Ｄ）参照）など）を反射する反射面３ｃ１が、導光レンズ３の反射部３ｃに形成されている。更に、導光レンズ３の中心面Ｓ２（図２（Ｂ）、図３（Ａ）、図３（Ｂ）および図３（Ｃ）参照）内における導光レンズ３の反射部３ｃの反射面３ｃ１の断面形状が、ＬＥＤ光源（図１参照）の反対側（図４（Ａ）の下側）に突出した概略円弧状の曲線ｇｈに設定されている。また、曲線ｇｈを曲線ａｂ（図３（Ｃ）参照）に沿ってスイープすることにより得られる曲面によって、導光レンズ３の反射部３ｃの反射面３ｃ１が構成されている。
【００５４】
また、第１の実施形態の面発光ＬＥＤ照明装置１００では、図１〜図４に示すように、ＬＥＤ光源１（図１参照）から照射され、導光レンズ３の反射部３ｃの反射面３ｃ１によって反射された光（例えば光Ｌ１ｂ（図５（Ｃ）および図５（Ｄ）参照）、光Ｌ２ｂ（図６（Ｃ）および図６（Ｄ）参照）、光Ｌ３ｂ（図７（Ｃ）および図７（Ｄ）参照）、光Ｌ４ｂ（図８（Ｃ）および図８（Ｄ）参照）、光Ｌ５ｂ（図９（Ｃ）および図９（Ｄ）参照）、光Ｌ６ｂ（図１０（Ｃ）および図１０（Ｄ）参照）、光Ｌ７ｂ（図１１参照）など）が、導光レンズ３の出射部３ｂの反射面３ｂ１のプリズムカット３ｂ１ａ（図４（Ｂ）参照）、出射面３ｂ２、上端面３ｂ３、下端面３ｂ４および先端面３ｂ５による内面反射を繰り返す。その結果、導光レンズ３の出射部３ｂの反射面３ｂ１のプリズムカット３ｂ１ａの全体にＬＥＤ光源１（図１参照）からの光（例えば光Ｌ１ｂ（図５（Ｃ）および図５（Ｄ）参照）、光Ｌ２ｂ（図６（Ｃ）および図６（Ｄ）参照）、光Ｌ３ｂ（図７（Ｃ）および図７（Ｄ）参照）、光Ｌ４ｂ（図８（Ｃ）および図８（Ｄ）参照）、光Ｌ５ｂ（図９（Ｃ）および図９（Ｄ）参照）、光Ｌ６ｂ（図１０（Ｃ）および図１０（Ｄ）参照）、光Ｌ７ｄ（図１１（Ｂ）および図１１（Ｃ）参照）など）が到達する。
【００５５】
更に、第１の実施形態の面発光ＬＥＤ照明装置１００では、図１〜図４に示すように、導光レンズ３の出射部３ｂの反射面３ｂ１のプリズムカット３ｂ１ａ（図４（Ｂ）参照）の全体からの反射光の一部（例えば光Ｌ１ｃ，Ｌ１ｄ（図５（Ｂ）および図５（Ｄ）参照）、光Ｌ２ｃ，Ｌ２ｄ（図６（Ｂ）および図６（Ｄ）参照）、光Ｌ３ｃ，Ｌ３ｄ（図７（Ｂ）および図７（Ｄ）参照）、光Ｌ４ｃ，Ｌ４ｄ（図８（Ｂ）および図８（Ｄ）参照）、光Ｌ５ｃ，Ｌ５ｄ（図９（Ｂ）および図９（Ｄ）参照）、光Ｌ６ｃ，Ｌ６ｄ（図１０（Ｂ）および図１０（Ｄ）参照）など）が、出射面３ｂ２を透過する。
【００５６】
詳細には、第１の実施形態の面発光ＬＥＤ照明装置１００では、図１〜図４に示すように、任意の位置に配置された観察者の視点に向かって進む導光レンズ３の出射部３ｂの出射面３ｂ２の全体からの光（例えば光Ｌ１ｄ（図５（Ｂ）および図５（Ｄ）参照、光Ｌ２ｄ（図６（Ｂ）および図６（Ｄ）参照、光Ｌ３ｄ（図７（Ｂ）および図７（Ｄ）参照、光Ｌ４ｄ（図８（Ｂ）および図８（Ｄ）参照、光Ｌ５ｄ（図９（Ｂ）および図９（Ｄ）参照、光Ｌ６ｄ（図１０（Ｂ）および図１０（Ｄ）参照）など）が存在するように、例えば拡散反射用シボ加工などのような処理が、例えば導光レンズ３の出射部３ｂの反射面３ｂ１のプリズムカット３ｂ１ａ（図４（Ｂ）参照）に施されている。その結果、第１の実施形態の面発光ＬＥＤ照明装置１００では、ＬＥＤ光源１（図１参照）の点灯時に導光レンズ３の出射部３ｂの出射面３ｂ２の全体が面状に光って見える。
【００５７】
更に詳細には、第１の実施形態の面発光ＬＥＤ照明装置１００では、図５（Ａ）および図５（Ｄ）に示すように、導光レンズ３の中心面Ｓ２と角度をなしてＬＥＤ光源１（図１参照）の発光中心１ａから上側（図５（Ａ）の上側）に照射されて仮想平面Ｓ１内を進む光の一部が、導光レンズ３の入射部３ａを透過して透過光Ｌ１ａになる。次いで、図５（Ｄ）に示すように、透過光Ｌ１ａが、導光レンズ３の反射部３ｃの反射面３ｃ１によって反射され、反射光Ｌ１ｂ（図５（Ｃ）および図５（Ｄ）参照）になる。次いで、図５（Ｄ）に示すように、反射光Ｌ１ｂが、導光レンズ３の出射部３ｂの反射面３ｂ１の基端部３ｂ−２の上側（図５（Ｃ）の上側）の隅部３ｂ１Ｃのプリズムカット３ｂ１ａ（図４（Ｂ）参照）によって反射され、反射光Ｌ１ｃになる。次いで、図５（Ｂ）および図５（Ｄ）に示すように、反射光Ｌ１ｃが、導光レンズ３の出射部３ｂの出射面３ｂ２の基端部３ｂ−２の上側（図５（Ｂ）の上側）の隅部３ｂ２Ｃを透過し、透過光Ｌ１ｄになって面発光ＬＥＤ照明装置１００の照射方向（図５（Ｂ）の右側、図５（Ｄ）の下側）に照射される。
【００５８】
そのため、第１の実施形態の面発光ＬＥＤ照明装置１００によれば、図２（Ｂ）に示すように、ＬＥＤ光源１（図１参照）の点灯時に、透過光Ｌ１ｄ（図５（Ｂ）および図５（Ｄ）参照）によって、導光レンズ３の出射部３ｂの出射面３ｂ２の基端部３ｂ−２の上側（図２（Ｂ）の上側）の隅部３ｂ２Ｃが明るく光って見えるようにすることができ、特許文献１（特開２００８−６６１５２号公報）の図９に記載された問題点を解決することができる。
【００５９】
また、第１の実施形態の面発光ＬＥＤ照明装置１００では、図６（Ａ）および図６（Ｄ）に示すように、導光レンズ３の中心面Ｓ２と角度をなしてＬＥＤ光源１（図１参照）の発光中心１ａから下側（図６（Ａ）の上側）に照射されて仮想平面Ｓ１内を進む光の一部が、導光レンズ３の入射部３ａを透過して透過光Ｌ２ａになる。次いで、図６（Ｄ）に示すように、透過光Ｌ２ａが、導光レンズ３の反射部３ｃの反射面３ｃ１によって反射され、反射光Ｌ２ｂ（図６（Ｃ）および図６（Ｄ）参照）になる。次いで、図６（Ｄ）に示すように、反射光Ｌ２ｂが、導光レンズ３の出射部３ｂの反射面３ｂ１の基端部３ｂ−２の下側（図６（Ｃ）の下側）の隅部３ｂ１Ｃのプリズムカット３ｂ１ａ（図４（Ｂ）参照）によって反射され、反射光Ｌ２ｃになる。次いで、図６（Ｂ）および図６（Ｄ）に示すように、反射光Ｌ２ｃが、導光レンズ３の出射部３ｂの出射面３ｂ２の基端部３ｂ−２の下側（図６（Ｂ）の下側）の隅部３ｂ２Ｃを透過し、透過光Ｌ２ｄになって面発光ＬＥＤ照明装置１００の照射方向（図６（Ｂ）の右側、図６（Ｄ）の下側）に照射される。
【００６０】
そのため、第１の実施形態の面発光ＬＥＤ照明装置１００によれば、図２（Ｂ）に示すように、ＬＥＤ光源１（図１参照）の点灯時に、透過光Ｌ２ｄ（図６（Ｂ）および図６（Ｄ）参照）によって、導光レンズ３の出射部３ｂの出射面３ｂ２の基端部３ｂ−２の下側（図２（Ｂ）の下側）の隅部３ｂ２Ｃが明るく光って見えるようにすることができ、特許文献１（特開２００８−６６１５２号公報）の図９に記載された問題点を解決することができる。
【００６１】
更に、第１の実施形態の面発光ＬＥＤ照明装置１００では、図７（Ａ）および図７（Ｄ）に示すように、導光レンズ３の中心面Ｓ２と角度をなしてＬＥＤ光源１（図１参照）の発光中心１ａから右上側（図７（Ａ）の上側、かつ、図７（Ｄ）の右側）に照射された光の一部が、導光レンズ３の入射部３ａの入射面３ａ１を透過して、仮想平面Ｓ１と平行な仮想平面Ｓ３内を進む透過光Ｌ３ａになる。次いで、図７（Ｄ）に示すように、透過光Ｌ３ａが、導光レンズ３の反射部３ｃの反射面３ｃ１によって反射され、反射光Ｌ３ｂ（図７（Ｃ）および図７（Ｄ）参照）になる。次いで、図７（Ｄ）に示すように、反射光Ｌ３ｂが、導光レンズ３の出射部３ｂの反射面３ｂ１の基端部３ｂ−２の上側（図７（Ｃ）の上側）の隅部３ｂ１Ｃのプリズムカット３ｂ１ａ（図４（Ｂ）参照）によって反射され、反射光Ｌ３ｃになる。次いで、図７（Ｂ）および図７（Ｄ）に示すように、反射光Ｌ３ｃが、導光レンズ３の出射部３ｂの出射面３ｂ２の基端部３ｂ−２の上側（図７（Ｂ）の上側）の隅部３ｂ２Ｃを透過し、透過光Ｌ３ｄになって面発光ＬＥＤ照明装置１００の照射方向（図７（Ｂ）の右側、図７（Ｄ）の下側）に照射される。
【００６２】
そのため、第１の実施形態の面発光ＬＥＤ照明装置１００によれば、導光レンズ３の中心面Ｓ２と角度をなしてＬＥＤ光源１（図１参照）の発光中心１ａから右上側（図７（Ａ）の上側、かつ、図７（Ｄ）の右側）に照射されて仮想平面Ｓ３内を進む光が導光レンズ３の出射部３ｂの出射面３ｂ２の基端部３ｂ−２の上側（図７（Ｂ）の上側）の隅部３ｂ２Ｃを透過しない場合よりも、ＬＥＤ光源１（図１参照）の点灯時に、透過光Ｌ３ｄ（図７（Ｂ）および図７（Ｄ）参照）によって、導光レンズ３の出射部３ｂの出射面３ｂ２の基端部３ｂ−２の上側（図２（Ｂ）の上側）の隅部３ｂ２Ｃが明るく光って見えるようにすることができる。
【００６３】
また、第１の実施形態の面発光ＬＥＤ照明装置１００では、図８（Ａ）および図８（Ｄ）に示すように、導光レンズ３の中心面Ｓ２と角度をなしてＬＥＤ光源１（図１参照）の発光中心１ａから右下側（図８（Ａ）の下側、かつ、図８（Ｄ）の右側）に照射された光の一部が、導光レンズ３の入射部３ａの入射面３ａ１を透過して、仮想平面Ｓ１と平行な仮想平面Ｓ３内を進む透過光Ｌ４ａになる。次いで、図８（Ｄ）に示すように、透過光Ｌ４ａが、導光レンズ３の反射部３ｃの反射面３ｃ１によって反射され、反射光Ｌ４ｂ（図８（Ｃ）および図８（Ｄ）参照）になる。次いで、図８（Ｄ）に示すように、反射光Ｌ４ｂが、導光レンズ３の出射部３ｂの反射面３ｂ１の基端部３ｂ−２の下側（図８（Ｃ）の下側）の隅部３ｂ１Ｃのプリズムカット３ｂ１ａ（図４（Ｂ）参照）によって反射され、反射光Ｌ４ｃになる。次いで、図８（Ｂ）および図８（Ｄ）に示すように、反射光Ｌ４ｃが、導光レンズ３の出射部３ｂの出射面３ｂ２の基端部３ｂ−２の下側（図８（Ｂ）の下側）の隅部３ｂ２Ｃを透過し、透過光Ｌ４ｄになって面発光ＬＥＤ照明装置１００の照射方向（図８（Ｂ）の右側、図８（Ｄ）の下側）に照射される。
【００６４】
そのため、第１の実施形態の面発光ＬＥＤ照明装置１００によれば、導光レンズ３の中心面Ｓ２と角度をなしてＬＥＤ光源１（図１参照）の発光中心１ａから右下側（図８（Ａ）の下側、かつ、図８（Ｄ）の右側）に照射されて仮想平面Ｓ３内を進む光が導光レンズ３の出射部３ｂの出射面３ｂ２の基端部３ｂ−２の下側（図８（Ｂ）の下側）の隅部３ｂ２Ｃを透過しない場合よりも、ＬＥＤ光源１（図１参照）の点灯時に、透過光Ｌ４ｄ（図８（Ｂ）および図８（Ｄ）参照）によって、導光レンズ３の出射部３ｂの出射面３ｂ２の基端部３ｂ−２の下側（図２（Ｂ）の下側）の隅部３ｂ２Ｃが明るく光って見えるようにすることができる。
【００６５】
更に、第１の実施形態の面発光ＬＥＤ照明装置１００では、図９（Ａ）および図９（Ｄ）に示すように、導光レンズ３の中心面Ｓ２と角度をなしてＬＥＤ光源１（図１参照）の発光中心１ａから左上側（図９（Ａ）の上側、かつ、図９（Ｄ）の左側）に照射された光の一部が、導光レンズ３の入射部３ａの入射面３ａ２を透過し、次いで、入射部３ａの反射面３ａ３のＬＥＤ光源側部分３ａ３ａによって反射され、反射光Ｌ５ａになる。次いで、図９（Ｄ）に示すように、反射光Ｌ５ａが、導光レンズ３の反射部３ｃの反射面３ｃ１の入射部側部分３ｃ１ａによって反射され、反射光Ｌ５ｂ（図９（Ｃ）および図９（Ｄ）参照）になる。次いで、図９（Ｄ）に示すように、反射光Ｌ５ｂが、導光レンズ３の出射部３ｂの反射面３ｂ１の基端部３ｂ−２の上側（図９（Ｃ）の上側）の隅部３ｂ１Ｃのプリズムカット３ｂ１ａ（図４（Ｂ）参照）によって反射され、反射光Ｌ５ｃになる。次いで、図９（Ｂ）および図９（Ｄ）に示すように、反射光Ｌ５ｃが、導光レンズ３の出射部３ｂの出射面３ｂ２の基端部３ｂ−２の上側（図９（Ｂ）の上側）の隅部３ｂ２Ｃを透過し、透過光Ｌ５ｄになって面発光ＬＥＤ照明装置１００の照射方向（図９（Ｂ）の右側、図９（Ｄ）の下側）に照射される。
【００６６】
そのため、第１の実施形態の面発光ＬＥＤ照明装置１００によれば、導光レンズ３の中心面Ｓ２と角度をなしてＬＥＤ光源１（図１参照）の発光中心１ａから左上側（図９（Ａ）の上側、かつ、図９（Ｄ）の左側）に照射されて導光レンズ３の入射部３ａの入射面３ａ２を透過した光が導光レンズ３の出射部３ｂの出射面３ｂ２の基端部３ｂ−２の上側（図９（Ｂ）の上側）の隅部３ｂ２Ｃを透過しない場合よりも、ＬＥＤ光源１（図１参照）の点灯時に、透過光Ｌ５ｄ（図９（Ｂ）および図９（Ｄ）参照）によって、導光レンズ３の出射部３ｂの出射面３ｂ２の基端部３ｂ−２の上側（図２（Ｂ）の上側）の隅部３ｂ２Ｃが明るく光って見えるようにすることができる。
【００６７】
また、第１の実施形態の面発光ＬＥＤ照明装置１００では、図１０（Ａ）および図１０（Ｄ）に示すように、導光レンズ３の中心面Ｓ２と角度をなしてＬＥＤ光源１（図１参照）の発光中心１ａから左下側（図１０（Ａ）の下側、かつ、図１０（Ｄ）の左側）に照射された光の一部が、導光レンズ３の入射部３ａの入射面３ａ２を透過し、次いで、入射部３ａの反射面３ａ３のＬＥＤ光源側部分３ａ３ａによって反射され、反射光Ｌ６ａになる。次いで、図１０（Ｄ）に示すように、反射光Ｌ６ａが、導光レンズ３の反射部３ｃの反射面３ｃ１の入射部側部分３ｃ１ａによって反射され、反射光Ｌ６ｂ（図１０（Ｃ）および図１０（Ｄ）参照）になる。次いで、図１０（Ｄ）に示すように、反射光Ｌ６ｂが、導光レンズ３の出射部３ｂの反射面３ｂ１の基端部３ｂ−２の下側（図１０（Ｃ）の下側）の隅部３ｂ１Ｃのプリズムカット３ｂ１ａ（図４（Ｂ）参照）によって反射され、反射光Ｌ６ｃになる。次いで、図１０（Ｂ）および図１０（Ｄ）に示すように、反射光Ｌ６ｃが、導光レンズ３の出射部３ｂの出射面３ｂ２の基端部３ｂ−２の下側（図１０（Ｂ）の下側）の隅部３ｂ２Ｃを透過し、透過光Ｌ６ｄになって面発光ＬＥＤ照明装置１００の照射方向（図１０（Ｂ）の右側、図１０（Ｄ）の下側）に照射される。
【００６８】
そのため、第１の実施形態の面発光ＬＥＤ照明装置１００によれば、導光レンズ３の中心面Ｓ２と角度をなしてＬＥＤ光源１（図１参照）の発光中心１ａから左下側（図１０（Ａ）の下側、かつ、図１０（Ｄ）の左側）に照射されて導光レンズ３の入射部３ａの入射面３ａ２を透過した光が導光レンズ３の出射部３ｂの出射面３ｂ２の基端部３ｂ−２の下側（図１０（Ｂ）の下側）の隅部３ｂ２Ｃを透過しない場合よりも、ＬＥＤ光源１（図１参照）の点灯時に、透過光Ｌ６ｄ（図１０（Ｂ）および図１０（Ｄ）参照）によって、導光レンズ３の出射部３ｂの出射面３ｂ２の基端部３ｂ−２の下側（図２（Ｂ）の下側）の隅部３ｂ２Ｃが明るく光って見えるようにすることができる。
【００６９】
ところで、仮に、導光レンズ３の反射部３ｃの反射面３ｃ１からの反射光（例えば光Ｌ５ｂ（図９（Ｃ）および図９（Ｄ）参照）、光Ｌ６ｂ（図１０（Ｃ）および図１０（Ｄ）参照）など）のすべてが出射部３ｂの反射面３ｂ１の基端部３ｂ−２に入射すると、導光レンズ３の出射部３ｂの反射面３ｂ１の先端部３ｂ−１（図２参照）に到達するＬＥＤ光源１からの光が少なくなってしまい、その結果、導光レンズ３の出射部３ｂの出射面３ｂ２の先端部３ｂ−１が暗く見えてしまうおそれがある。
【００７０】
この点に鑑み、第１の実施形態の面発光ＬＥＤ照明装置１００では、図９および図１０に示すように、導光レンズ３の入射部３ａの反射面３ａ３のＬＥＤ光源側部分３ａ３ａからの反射光（例えば光Ｌ５ａ（図９（Ａ）および図９（Ｄ）参照）、光Ｌ６ａ（図１０（Ａ）および図１０（Ｄ）参照）など）が、導光レンズ３の反射部３ｃの反射面３ｃ１の入射部側部分３ｃ１ａによって反射され、次いで、出射部３ｂの反射面３ｂ１の基端部３ｂ−２に入射するように、かつ、図１１に示すように、導光レンズ３の入射部３ａの反射面３ａ３の反射部側部分３ａ３ｂからの反射光（例えば光Ｌ７ａ（図１１（Ａ）参照）など）が、導光レンズ３の反射部３ｃの反射面３ｃ１の出射部側部分３ｃ１ｂによって反射され、次いで、出射部３ｂの出射面３ｂ２によって１回以上反射され、次いで、出射部３ｂの反射面３ｂ１に入射するように、導光レンズ３の入射部３ａの反射面３ａ３および反射部３ｃの反射面３ｃ１が形成されている。
【００７１】
例えば、第１の実施形態の面発光ＬＥＤ照明装置１００では、図１１（Ａ）に示すように、ＬＥＤ光源１（図１参照）の発光中心１ａから左側（図１１の左側）に照射された光の一部が、導光レンズ３の入射部３ａの入射面３ａ２を透過し、次いで、入射部３ａの反射面３ａ３の反射部側部分３ａ３ｂによって反射され、導光レンズ３の中心面Ｓ３（図１１（Ｂ）参照）内を進む反射光Ｌ７ａになる。次いで、図１１（Ａ）に示すように、反射光Ｌ７ａが、導光レンズ３の反射部３ｃの反射面３ｃ１の出射部側部分３ｃ１ｂによって反射され、反射光Ｌ７ｂ（図１１（Ａ）、図１１（Ｂ）および図１１（Ｃ）参照）になる。次いで、図１１（Ｂ）および図１１（Ｃ）に示すように、反射光Ｌ７ｂが、導光レンズ３の出射部３ｂの出射面３ｂ２によって反射され、反射光Ｌ７ｃになる。次いで、図１１（Ｂ）および図１１（Ｃ）に示すように、反射光Ｌ７ｃが、導光レンズ３の出射部３ｂの出射面３ｂ２によって反射され、反射光Ｌ７ｄになる。次いで、図１１（Ｂ）および図１１（Ｃ）に示すように、反射光Ｌ７ｄが、導光レンズ３の出射部３ｂの反射面３ｂ１の先端部３ｂ−１に入射する。
【００７２】
そのため、第１の実施形態の面発光ＬＥＤ照明装置１００によれば、導光レンズ３の反射部３ｃの反射面３ｃ１からの反射光のすべてが出射部３ｂの反射面３ｂ１の基端部３ｂ−２に入射する場合よりも、導光レンズ３の出射部３ｂの反射面３ｂ１の先端部３ｂ−１に到達するＬＥＤ光源１からの光（例えば光Ｌ７ｄ（図１１（Ｂ）および図１１（Ｃ）参照）など）を増加させることができる。その結果、第１の実施形態の面発光ＬＥＤ照明装置１００によれば、導光レンズ３の反射部３ｃの反射面３ｃ１からの反射光のすべてが出射部３ｂの反射面３ｂ１の基端部３ｂ−２に入射する場合よりも、ＬＥＤ光源１（図１参照）の点灯時に、例えば光Ｌ７ｄ（図１１（Ｂ）および図１１（Ｃ）参照）などによって、導光レンズ３の出射部３ｂの出射面３ｂ２の先端部３ｂ−１が明るく光って見えるようにすることができる。
【００７３】
また、第１の実施形態の面発光ＬＥＤ照明装置１００では、図２（Ｄ）に示すように、導光レンズ３の中心面Ｓ２（図２（Ｂ）参照）内における導光レンズ３の出射部３ｂの反射面３ｂ１の断面形状が、ＬＥＤ光源１（図１参照）の反対側（図２（Ｄ）の下側）に突出した概略円弧状の曲線ｐｑに設定されている。更に、導光レンズ３の中心面Ｓ２（図２（Ｂ）参照）内における導光レンズ３の出射部３ｂの出射面３ｂ２の断面形状が、ＬＥＤ光源１（図１参照）の反対側（図２（Ｄ）の下側）に突出した概略円弧状の曲線ｇｒに設定されている。
【００７４】
そのため、第１の実施形態の面発光ＬＥＤ照明装置１００（図１２（Ａ）参照）によれば、導光レンズ３の中心面Ｓ２内における導光レンズ３の出射部３ｂの反射面３ｂ１および出射面３ｂ２の断面形状が直線に設定されている比較例の面発光ＬＥＤ照明装置１００ｒｅｆ（図１２（Ｂ）参照）よりも、ＬＥＤ光源１の点灯時に導光レンズ３の出射部３ｂの出射面３ｂ２の少なくとも一部を視認可能な視野角θＶＡ（図１２（Ａ）参照）（＞θＶＡｒｅｆ（図１２（Ｂ）参照））を大きくすることができる。
【００７５】
更に、第１の実施形態の面発光ＬＥＤ照明装置１００では、図３（Ｄ）に示すように、仮想平面Ｓ１（図２（Ｄ）参照）に平行な仮想平面Ｓ４（図２（Ｄ）参照）内における導光レンズ３の出射部３ｂの反射面３ｂ１の断面形状が、ＬＥＤ光源１（図１参照）の反対側（図３（Ｄ）の右側）に突出した概略円弧状の曲線ｔｕに設定されている。また、仮想平面Ｓ４（図２（Ｄ）参照）内における導光レンズ３の出射部３ｂの出射面３ｂ２の断面形状が、ＬＥＤ光源１（図１参照）の反対側（図３（Ｄ）の右側）に突出した概略円弧状の曲線ｖｗに設定されている。
【００７６】
そのため、第１の実施形態の面発光ＬＥＤ照明装置１００では、図１３（Ａ）に示すように、導光レンズ３の出射部３ｂの反射面３ｂ１からの反射光Ｌ３と導光レンズ３の中心面Ｓ２とがなす角度θｂよりも、導光レンズ３の出射部３ｂの出射面３ｂ２を透過した光Ｌ３と導光レンズ３の中心面Ｓ２とがなす角度θｃが大きくなる。更に、導光レンズ３の出射部３ｂの反射面３ｂ１に入射する光Ｌ３と導光レンズ３の中心面Ｓ２とがなす角度θａよりも、導光レンズ３の出射部３ｂの反射面３ｂ１からの反射光Ｌ３と導光レンズ３の中心面Ｓ２とがなす角度θｂが大きくなる。
【００７７】
それに対し、比較例の面発光ＬＥＤ照明装置１００ｒｅｆでは、図１３（Ｂ）に示すように、導光レンズ３の出射部３ｂの出射面３ｂ２と角度をなす断面内における導光レンズ３の出射部３ｂの反射面３ｂ１の断面形状が直線ｔｕに設定されており、その断面内における導光レンズ３の出射部３ｂの出射面３ｂ２の断面形状が直線ｔｕに平行な直線ｖｗに設定されている。
【００７８】
そのため、比較例の面発光ＬＥＤ照明装置１００ｒｅｆでは、図１４（Ｂ）に示すように、導光レンズ３の出射部３ｂの反射面３ｂ１からの反射光Ｌ３’と導光レンズ３の中心面Ｓ２とがなす角度θｂ’よりも、導光レンズ３の出射部３ｂの出射面３ｂ２を透過した光Ｌ３’と導光レンズ３の中心面Ｓ２とがなす角度θｃ’が大きくなるものの、導光レンズ３の出射部３ｂの反射面３ｂ１に入射する光Ｌ３’と導光レンズ３の中心面Ｓ２とがなす角度θａと、導光レンズ３の出射部３ｂの反射面３ｂ１からの反射光Ｌ３’と導光レンズ３の中心面Ｓ２とがなす角度θｂ’とが等しくなる。
【００７９】
つまり、第１の実施形態の面発光ＬＥＤ照明装置１００（図１３（Ａ）参照）によれば、導光レンズ３の出射部３ｂの反射面３ｂ１および出射面３ｂ２の断面形状が互いに平行な直線に設定されている比較例の面発光ＬＥＤ照明装置１００ｒｅｆ（図１４（Ｂ）参照）よりも、ＬＥＤ光源１（図１参照）の点灯時に導光レンズ３の出射部３ｂの出射面３ｂ２の少なくとも一部を視認可能な視野角を大きくすることができる。
【００８０】
第１の実施形態の面発光ＬＥＤ照明装置１００では、図４（Ａ）に示すように、ＬＥＤ光源１（図１参照）の光軸１’と交線ＳＬとが概略一致せしめられているが、第２の実施形態の面発光ＬＥＤ照明装置１００では、代わりに、ＬＥＤ光源１（図１参照）の光軸１’と交線ＳＬとを一致させないことも可能である。第２の実施形態の面発光ＬＥＤ照明装置１００においても、交線ＳＬ上またはその近傍にＬＥＤ光源１の発光中心１ａを配置することによって、第１の実施形態の面発光ＬＥＤ照明装置１００と同様に、ＬＥＤ光源１の点灯時に導光レンズ３の出射部３ｂの出射面３ｂ２の全体が面状に光って見えるようにすることができる。
【００８１】
第１の実施形態の面発光ＬＥＤ照明装置１００では、図４（Ｂ）に示すように、導光レンズ３の出射部３ｂの反射面３ｂ１のプリズムカット３ｂ１ａの断面形状が概略二等辺三角形形状に設定されているが、第３の実施形態の面発光ＬＥＤ照明装置１００では、代わりに、導光レンズ３の出射部３ｂの反射面３ｂ１のプリズムカット３ｂ１ａの断面形状を、例えば二等辺三角形を除く三角形形状、台形形状、半円形状などの任意の形状であって、ＬＥＤ光源１の点灯時に導光レンズ３の出射部３ｂの出射面３ｂ２の全体が面状に光って見えるようになる形状に設定することも可能である。
【００８２】
第１の実施形態の面発光ＬＥＤ照明装置１００では、図３（Ｂ）に示すように、導光レンズ３の出射部３ｂの先端部３ｂ−１が、基端部３ｂ−２に対して図３（Ｂ）の時計回りにねじられているが、第４の実施形態の面発光ＬＥＤ照明装置１００では、代わりに、導光レンズ３の出射部３ｂの先端部３ｂ−１と基端部３ｂ−２との間にねじりが存在しないように、導光レンズ３の出射部３ｂを形成することも可能である。第４の実施形態の面発光ＬＥＤ照明装置１００によっても、第１の実施形態の面発光ＬＥＤ照明装置１００と同様に、ＬＥＤ光源１の点灯時に導光レンズ３の出射部３ｂの出射面３ｂ２の全体が面状に光って見えるようにすることができる。
【００８３】
第５の実施形態では、上述した第１から第４の実施形態を適宜組み合わせることも可能である。
【産業上の利用可能性】
【００８４】
本発明の面発光ＬＥＤ照明装置は、例えば車両用灯具、一般照明装置などのような観察者に発光状態を見せるための照明装置に適用可能である。
【符号の説明】
【００８５】
１                      ＬＥＤ光源
１ａ                    発光中心
２                      基板
３                      導光レンズ
３ａ                    入射部
３ａ１，３ａ２          入射面
３ａ３                  反射面
３ｂ                    出射部
３ｂ−１                先端部
３ｂ−２                基端部
３ｂ１                  反射面
３ｂ１Ｃ                隅部
３ｂ１ａ                プリズムカット
３ｂ２                  出射面
３ｂ２Ｃ                隅部
３ｃ                    反射部
３ｃ１                  反射面
４                      ハウジング
１００                  面発光ＬＥＤ照明装置
Ｓ１，Ｓ２，Ｓ３，Ｓ４  面
ＳＬ                    交線
【図１】
2012199092.tif 000003
【図２】
2012199092.tif 000004
【図３】
2012199092.tif 000005
【図４】
2012199092.tif 000006
【図５】
2012199092.tif 000007
【図６】
2012199092.tif 000008
【図７】
2012199092.tif 000009
【図８】
2012199092.tif 000010
【図９】
2012199092.tif 000011
【図１０】
2012199092.tif 000012
【図１１】
2012199092.tif 000013
【図１２】
2012199092.tif 000014
【図１３】
2012199092.tif 000015